(57)【要約】通信デバイスからモバイル通信ネットワークにデータを送信するまたはモバイル通信デバイスにおいてモバイル通信ネットワークからデータを受信する方法は、モバイル通信ネットワークによって通信デバイスからデータを送信するおよび受信するための無線アクセスインタフェースを提供することを含む。無線アクセスインタフェースは、システム帯域幅内において通信リソースを提供し、第１のタイプおよび第２のタイプの通信デバイスに割り当てるためのシステム帯域内における通信リソースを時間分割単位で提供する。第１のタイプの通信デバイスは、第２のタイプの通信デバイスとは異なる機能を有する。方法は、第２のタイプの通信デバイスに割り当てられる、シーケンスの所定のセットからシーケンスを選択することによって、通信デバイスにおいてランダムアクセスメッセージを生成することと、通信デバイスから無線通信ネットワークにランダムアクセスメッセージを送信することと、を含む。さらに方法は、ランダムアクセスメッセージに応答して、第２のタイプの通信デバイスの機能に応じて送信されたランダムアクセス応答を通信デバイスにおいて受信することを含み、ランダムアクセスメッセージは第２のタイプの通信デバイスからのものであり、第２のタイプの通信デバイスに割り当てられた所定のシーケンスから選択された１つであるものとして認識される。この方法によれば、モバイル通信ネットワークは、ランダムアクセスメッセージを形成する際に使用するための異なるシーケンスを異なるタイプの通信デバイスに割り当てることによって、異なるタイプの通信デバイスを差別化するように構成されることができ、従って、異なるタイプの通信デバイスの機能に応じてランダムアクセスメッセージに異なる応答をする。【選択図】図１０
2016538781.tif 000002
【特許請求の範囲】
【請求項１】
データを通信デバイスからモバイル通信ネットワークに送信する、または前記モバイル通信デバイスにおいてデータを前記モバイル通信ネットワークから受信する方法であって、前記方法は、
データを前記通信デバイスに送信する及び前記通信デバイスから受信するために無線アクセスインタフェースを前記モバイル通信ネットワークによって提供すること、を含み、前記無線アクセスインタフェースはシステム帯域幅内でおよび時分割単位で通信リソースを提供し、かつ前記システム帯域幅内で第１のタイプおよび第２のタイプの通信デバイスへの割り当てのための通信リソースを提供し、前記第１のタイプの前記通信デバイスは前記第２のタイプの通信デバイスと異なる機能を有し、さらに前記方法は、
前記第２のタイプの前記通信デバイスに割り当てられたシーケンスの所定のセットからシーケンスを選択することによってランダムアクセスメッセージを前記通信デバイスにおいて生成することと、
前記ランダムアクセスメッセージを前記通信デバイスから前記無線通信ネットワークに送信することと、
前記ランダムアクセスメッセージに応答して、前記第２のタイプの前記通信デバイスの前記機能に応じて送信されたランダムアクセス応答を前記通信デバイスにおいて受信することと、を含み、前記ランダムアクセスメッセージは前記第２のタイプの前記通信デバイスに割り当てられた前記所定のシーケンスの選択された１つからのものとして認識されることで、前記第２のタイプの通信デバイスからのものとして認識される、方法。
【請求項２】
前記無線アクセスインタフェースは、仮想キャリア帯域幅の通信リソース内で信号を送信または受信するための、前記第２のタイプの通信デバイスに対する好適な割り当てのための前記システム帯域幅の前記通信リソースのセットを定義する前記仮想キャリアを含み、前記第２のタイプの前記通信デバイスの前記機能に応じて送信されたランダムアクセス応答を前記通信デバイスにおいて受信することは、
前記仮想キャリア帯域幅内の前記通信デバイスに割り当てられた通信リソースから前記ランダムアクセス応答を前記通信デバイスにおいて受信すること、を含み、
前記第２のタイプの前記通信デバイスは、前記第１のタイプの通信デバイスに比べて低減された機能を有する、
請求項１に記載の方法。
【請求項３】
前記ランダムアクセスメッセージを前記通信デバイスから前記無線通信ネットワークに送信することは、
前記ランダムアクセスメッセージを送信するための前記第２のタイプの前記通信デバイスのための前記無線アクセスインタフェースの前記通信リソースを前記モバイル通信ネットワークによって構成することと、
前記モバイル通信ネットワークによって構成された通信リソースにおいて前記通信デバイスから前記無線通信ネットワークに前記ランダムアクセスメッセージを送信することと、を含む、
請求項１に記載の方法。
【請求項４】
前記ランダムアクセスメッセージを送信するための前記第２のタイプの前記通信デバイスのための前記無線アクセスインタフェースの前記通信リソースを前記モバイル通信ネットワークによって構成することは、
前記第２のタイプの前記通信デバイスの機能に依存して前記ランダムアクセスメッセージを送信するために通信リソースを構成すること、を含む、
請求項３に記載の方法。
【請求項５】
前記ランダムアクセスメッセージを送信するための前記第２のタイプの前記通信デバイスのための前記無線アクセスインタフェースの前記通信リソースを前記モバイル通信ネットワークによって構成することは、
前記ランダムアクセスメッセージを送信するための前記第２のタイプの前記通信デバイスのための１以上のランダムアクセスチャネルを含むように前記無線アクセスインタフェースの前記通信リソースを構成すること、を含む、
請求項４に記載の方法。
【請求項６】
前記ランダムアクセスメッセージを送信するために前記低減された機能の通信デバイスに割り当てられた前記シーケンスの所定のセットの指示を前記モバイル通信ネットワークから前記通信デバイスに送信すること、を含む、
請求項１に記載の方法。
【請求項７】
非競合ベースのランダムアクセスメッセージを生成するためのシーケンスと競合ベースのランダムアクセスメッセージを生成するためのシーケンスとを含むシーケンスのセットから前記シーケンスの所定のセットを選択すること、を含み、
競合ベースのランダムアクセスのために前記低減された機能のデバイスに割り当てられた前記シーケンスの所定のセットは、非競合ベースのランダムアクセスメッセージを生成するための前記シーケンスから選択される、
請求項６に記載の方法。
【請求項８】
前記第２のタイプの通信デバイスと比べて前記第１のタイプの通信デバイスの前記異なる機能は、前記第１のタイプの前記通信デバイスと比べて前記第２のタイプの前記通信デバイスがデコードできる、信号が受信される通信チャネルの最大帯域幅を含む、
請求項１に記載の方法。
【請求項９】
前記第２のタイプの通信デバイスと比べて前記第１のタイプの通信デバイスの前記異なる機能は、前記第２のタイプの前記通信デバイスと比べて前記第１のタイプの前記通信デバイスに使用可能なアンテナの最小の数を含む、
請求項１に記載の方法。
【請求項１０】
前記第２のタイプの通信デバイスと比べて前記第１のタイプの通信デバイスの前記異なる機能は、前記第１のタイプの前記通信デバイスと比べて前記第２のタイプの前記通信デバイスによって処理する情報ビットの最大レートを含む、
請求項１に記載の方法。
【請求項１１】
データをモバイル通信ネットワークに送信する、または前記モバイル通信ネットワークから受信する通信デバイスであって、前記通信デバイスは、
無線アクセスインタフェースを介してデータを表す信号を前記モバイル通信ネットワークのインフラ機器に送信するように構成された送信機ユニットを備え、前記無線アクセスインタフェースはシステム帯域幅内でおよび時分割単位で通信リソースを提供し、かつ前記システム帯域幅内で第１のタイプおよび第２のタイプの通信デバイスへの割り当てのための通信リソースを提供し、前記第１のタイプの前記通信デバイスは前記第２のタイプの通信デバイスと異なる機能を有し、さらに前記通信デバイスは、
前記無線アクセスインタフェースを介して前記インフラ機器から信号を受信するように構成された受信機と、
前記第２のタイプの前記通信デバイスに割り当てられたシーケンスの所定のセットからシーケンスを選択することによってランダムアクセスメッセージを生成し、
前記ランダムアクセスメッセージを前記通信デバイスから前記無線通信ネットワークに送信し、
前記ランダムアクセスメッセージに応答して、前記第２のタイプの前記通信デバイスの前記機能に応じて送信されたランダムアクセス応答を受信するように前記送信機と前記受信機とを組み合わせるように構成されたコントローラと、を備え、前記ランダムアクセスメッセージは、低減された機能のデバイスに割り当てられた前記所定のシーケンスの選択された１つからのものとして認識されることで、低減された機能のデバイスからのものとして認識される、通信デバイス。
【請求項１２】
前記無線アクセスインタフェースは、仮想キャリア帯域幅の通信リソース内で信号を送信または受信するための、前記第２のタイプの通信デバイスに対する好適な割り当てのための前記システム帯域幅の前記通信リソースのセットを定義する前記仮想キャリアを含み、前記コントローラは、前記仮想キャリア帯域幅内の前記通信デバイスに割り当てられた通信リソースから前記ランダムアクセス応答を前記通信デバイスにおいて受信することによって、前記第２のタイプの前記通信デバイスの前記機能に応じてランダムアクセス応答を受信するように前記送信機と前記受信機を組み合わせるように構成され、
前記第２のタイプの前記通信デバイスは、前記第１のタイプの通信デバイスに比べて低減された機能を有する、
請求項１１に記載の通信デバイス。
【請求項１３】
前記コントローラは、前記ランダムアクセスメッセージを前記通信デバイスから前記無線通信ネットワークに送信するように前記送信機と前記受信機とを組み合わせるように構成され、
前記第２のタイプの前記通信デバイスによって前記ランダムアクセスメッセージを送信するための前記無線アクセスインタフェースの前記通信リソースは前記モバイル通信ネットワークによって構成される、
請求項１１に記載の通信デバイス。
【請求項１４】
前記無線アクセスインタフェースの前記通信リソースは、前記第２のタイプの前記通信デバイスの機能に依存して前記ランダムアクセスメッセージを送信するために前記モバイル通信ネットワークによって構成される、
請求項１３に記載の通信デバイス。
【請求項１５】
前記ランダムアクセスメッセージを送信するために前記モバイル通信ネットワークによって構成される前記無線アクセスインタフェースの前記通信リソースは、前記ランダムアクセスメッセージを送信するための前記第２のタイプの前記通信デバイスのための１以上のランダムアクセスチャネルを提供することを含む、
請求項１４に記載の通信デバイス。
【請求項１６】
前記コントローラは、
前記ランダムアクセスメッセージを生成するために前記低減された機能の通信デバイスに割り当てられた前記シーケンスの所定のセットの指示を前記モバイル通信ネットワークから受信するように受信機と組み合わせて構成される、
請求項１１に記載の通信デバイス。
【請求項１７】
前記シーケンスの所定のセットは、非競合ベースのランダムアクセスメッセージを生成するためのシーケンスと競合ベースのランダムアクセスメッセージを生成するためのシーケンスとを含むシーケンスのセットから選択され、
競合ベースのランダムアクセスのために前記低減された機能のデバイスに割り当てられた前記シーケンスの所定のセットは、非競合ベースのランダムアクセスメッセージを生成するための前記シーケンスから選択される、
請求項１６に記載の通信デバイス。
【請求項１８】
前記第２のタイプの通信デバイスと比べて前記第１のタイプの通信デバイスの前記異なる機能は、前記第１のタイプの前記通信デバイスと比べて前記第２のタイプの前記通信デバイスがデコードできる、信号が受信される通信チャネルの最大帯域幅を含む、
請求項１１に記載の通信デバイス。
【請求項１９】
前記第２のタイプの通信デバイスと比べて前記第１のタイプの通信デバイスの前記異なる機能は、前記第２のタイプの前記通信デバイスと比べて前記第１のタイプの前記通信デバイスに使用可能なアンテナの最小の数を含む、
請求項１１に記載の通信デバイス。
【請求項２０】
前記第２のタイプの通信デバイスと比べて前記第１のタイプの通信デバイスの前記異なる機能は、前記第１のタイプの前記通信デバイスと比べて前記第２のタイプの前記通信デバイスによって処理する情報ビットの最大レートを含む、
請求項１に記載の通信デバイス。
【請求項２１】
モバイル通信ネットワークの一部を形成するインフラ機器であって、前記インフラ機器は、
無線アクセスインタフェースを介して信号を通信デバイスに送信するように構成された送信機ユニットと、
前記無線アクセスインタフェースを介して前記通信デバイスから信号を受信するように構成された受信機と、
前記無線インタフェースを形成するために前記送信機と前記受信機を組み合わせるように構成されたコントローラと、を備え、前記無線アクセスインタフェースはシステム帯域幅内でおよび時分割単位で通信リソースを提供し、かつ前記システム帯域幅内で第１のタイプおよび第２のタイプの通信デバイスへの割り当てのための通信リソースを提供し、前記第１のタイプの前記通信デバイスは前記第２のタイプの通信デバイスと異なる機能を有し、前記コントローラは、
前記通信デバイスの１つから前記無線アクセスインタフェースを介してランダムアクセスメッセージを受信するように前記送信機と前記受信機を組み合わせるように構成され、前記通信デバイスは前記第２のタイプの通信デバイスであり、前記ランダムアクセスメッセージは前記第２のタイプの前記通信デバイスに割り当てられたシーケンスの所定のセットの１つからシーケンスを選択することによって前記第２のタイプの通信デバイスによって生成され、
さらに前記コントローラは、受信されたランダムアクセスメッセージから、前記ランダムアクセスメッセージを送信した前記通信デバイスは前記第２のタイプの通信デバイスであることを判定し、
前記ランダムアクセスメッセージに応答して、前記第２のタイプの前記通信デバイスの前記機能に応じてランダムアクセス応答を送信するように前記送信機と前記受信機とを組み合わせるように構成され、前記ランダムアクセスメッセージは、前記第２のタイプの通信デバイスに割り当てられた前記所定のシーケンスの選択された１つからのものとして認識されることで、低減された機能のデバイスからのものとして認識される、インフラ機器。
【請求項２２】
前記無線アクセスインタフェースは、仮想キャリア帯域幅の通信リソース内で信号を送信または受信するための、前記第２のタイプの通信デバイスに対する好適な割り当てのための前記システム帯域幅の前記通信リソースのセットを定義する前記仮想キャリアを含み、前記第２のタイプの前記通信デバイスの機能に応じて送信された前記ランダムアクセス応答を前記通信デバイスにおいて受信し、前記コントローラは、
前記仮想キャリア帯域幅内の前記通信デバイスに割り当てられた通信リソースから前記ランダムアクセス応答を前記通信デバイスにおいて送信するように前記送信機と前記受信機を組み合わせるように構成され、前記第２のタイプの前記通信デバイスは、前記第１のタイプの通信デバイスに比べて低減された機能を有する、
請求項２１に記載のインフラ機器。
【請求項２３】
前記コントローラは、前記ランダムアクセスメッセージを送信するための前記第２のタイプの前記通信デバイスのための前記無線アクセスインタフェースの前記通信リソースを構成し、
前記モバイル通信ネットワークによって構成された通信リソースにおいて前記通信デバイスから前記無線通信ネットワークに前記ランダムアクセスメッセージを送信するように前記送信機と前記受信機とを組み合わせるように構成される、
請求項２１に記載のインフラ機器。
【請求項２４】
前記コントローラは、前記ランダムアクセスメッセージを前記第２のタイプの前記通信デバイスの機能に依存して受信するために前記無線アクセスインタフェースの前記通信リソースを構成するように前記送信機と前記受信機とを組み合わせるように構成される、
請求項２３に記載のインフラ機器。
【請求項２５】
前記コントローラは、前記ランダムアクセスメッセージを送信するための前記第２のタイプの前記通信デバイスのための１以上のランダムアクセスチャネルを含むように前記無線アクセスインタフェースの前記通信リソースを構成するように前記送信機と前記受信機とを組み合わせるように構成される、
請求項２４に記載のインフラ機器。
【請求項２６】
前記コントローラは、
前記ランダムアクセスメッセージを生成するために前記低減された機能の通信デバイスに割り当てられた前記シーケンスの所定のセットの指示を前記モバイル通信ネットワークから前記通信デバイスに送信するように送信機と組み合わせて構成される、
請求項２１に記載のインフラ機器。
【請求項２７】
前記コントローラは、
非競合ベースのランダムアクセスメッセージを生成するためのシーケンスと競合ベースのランダムアクセスメッセージを生成するためのシーケンスとを含むシーケンスのセットから前記シーケンスの所定のセットを選択するように構成され、競合ベースのランダムアクセスのために前記低減された機能のデバイスに割り当てられた前記シーケンスの所定のセットは、非競合ベースのランダムアクセスメッセージを生成するための前記シーケンスから選択される、
請求項２６に記載のインフラ機器。
【請求項２８】
前記第２のタイプの通信デバイスと比べて前記第１のタイプの通信デバイスの前記異なる機能は、前記第１のタイプの前記通信デバイスと比べて前記第２のタイプの前記通信デバイスがデコードできる、信号が受信される通信チャネルの最大帯域幅を含む、
請求項２１に記載のインフラ機器。
【請求項２９】
前記第２のタイプの通信デバイスと比べて前記第１のタイプの通信デバイスの前記異なる機能は、前記第２のタイプの前記通信デバイスと比べて前記第１のタイプの前記通信デバイスに使用可能なアンテナの最小の数を含む、
請求項２１に記載のインフラ機器。
【請求項３０】
前記第２のタイプの通信デバイスと比べて前記第１のタイプの通信デバイスの前記異なる機能は、前記第１のタイプの前記通信デバイスと比べて前記第２のタイプの前記通信デバイスによって処理する情報ビットの最大レートを含む、
請求項２１に記載のインフラ機器。
【請求項３１】
請求項２１に記載のインフラ機器を含む、モバイル通信根とワーク。
【請求項３２】
請求項１１に記載の通信デバイスおよび請求項２１に記載のインフラ機器を含む、通信システム。
【請求項３３】
プロセッサにロードされた場合、請求項１に記載の方法を実行するコンピュータプログラムを記憶したコンピュータ読み取り可能な記憶媒体。
【発明の詳細な説明】
【技術分野】
【０００１】
本発明は、データを通信するための通信システム、インフラ機器および通信デバイスおよびデータ通信の方法に関する。
【背景技術】
【０００２】
３ＧＰＰ定義のＵＭＴＳ及びＬＴＥ（Long  Term  Evolution）アーキテクチャに基づくモバイル通信システムなどの第３世代及び第４世代のモバイル通信システムは、前世代のモバイル通信システムによって提供される単純な音声及びメッセージングサービスよりもより高性能なサービスをサポートすることができる。
【０００３】
例えば、ユーザはＬＴＥシステムによって提供される改善された無線インタフェース及び拡張されたデータレートにより、以前は固定回線データ接続を介してのみ利用することのできたモバイルビデオストリーミング及びモバイルビデオ会議といった高データレートのアプリケーションを享受することができる。このため、第３世代及び第４世代のネットワークを配備することが強く望まれており、それらのネットワークのカバレッジエリア、すなわちそれらのネットワークへのアクセスが可能な地理的な場所は、急速に増大することが予想される。
【０００４】
第３世代及び第４世代のネットワークの広範囲にわたる配備を見込んで、利用可能な高データレートを活用するのではなく代わりに堅牢な無線インタフェースとカバレッジエリアの増大するユビキタス性とを活用するタイプのデバイス及びアプリケーションが、並行して配備されてきている。例として、少量のデータを比較的低い頻度で通信する半自律又は自律無線通信デバイス（例えばＭＴＣデバイス）によって象徴される、いわゆるマシンタイプ通信（ＭＴＣ）アプリケーションを含む。例として、例えば、顧客の家に配置され、顧客が消費したガス、水道、電気などのユーティリティに関して中央のＭＴＣサーバへ周期的にデータを送り返す、いわゆるスマートメータを含む。
【０００５】
第３世代又は第４世代のモバイル通信ネットワークによって提供される広いカバレッジエリアを利用することはＭＴＣタイプの端末などの端末にとって便利ではあろうが、現在のところ不都合な点がある。スマートフォンなどの従来の第３世代又は第４世代の移動端末とは異なり、ＭＴＣタイプの端末は、比較的単純でかつ安価であることが好ましい。ＭＴＣタイプの端末によって典型的に実行されるタイプの機能（例えば、データを収集し、送り返す）は、実行するのに特に複雑な処理を必要としない。ＭＴＣデバイスのような特定のクラスの通信デバイスは、例えば低頻度の比較的少量のデータの送信によって特徴づけられる「低機能（ｌｏｗ  ｃａｐａｂｉｌｉｔｙ）」通信アプリケーションをサポートする。ＭＴＣデバイスは、ＭＴＣデバイスの各々が通信ネットワークにほとんど負担とならないように構成され、従って同じネットワークにおいて「完全な機能（ｆｕｌｌ  ｃａｐａｂｉｌｉｔｙ）」相当の端末よりも多く展開される。
【０００６】
多くのシナリオにおいて、端末に（またはから）送信されるであろうデータの量に相応の機能を有するシンプルな受信ユニット（または送受信ユニット）を備える、「低機能」通信アプリケーションのようなものに特化される端末を提供することが好ましい。
【０００７】
ＭＴＣ端末をサポートするために、１以上の「ホストキャリア（ｈｏｓｔ  ｃａｒｒｉｅｒ）」の帯域幅内で動作する「仮想キャリア（ｖｉｒｔｕａｌ  ｃａｒｒｉｅｒ）」を導入することが提案されている。提案されている仮想キャリアのコンセプトは、好ましくは従来のＯＦＤＭベースの無線アクセス技術の通信リソース内に統合し、ＯＦＤＭと同様な方法で周波数スペクトルを細分化する。従来のＯＦＤＭ方式のダウンリンクキャリア上で送信されるデータとは異なり、仮想キャリア上で送信されるデータはダウンリンクＯＦＤＭホストキャリアの全帯域幅を処理する必要なく受信され、デコードされる。従って、仮想キャリア上で送信されるデータは、向上したシンプルさ、信頼性の向上、低減されたフォームファクタおよび低コスト化などのような付随的な利点を有する複雑さを低減した受信ユニットを用いて受信され、デコードされる。
【０００８】
しかしながら、従来のＬＴＥデバイスとＭＴＣデバイスの異なる機能が互いに並行して動作する場合、リソース割り当ておよびスケジューリングの複雑さの増大を招く。従って、ＭＴＣデバイスおよび従来のレガシーＬＴＥデバイス用の無線通信システムの効率的な動作が望まれている。
【０００９】
「低機能」デバイスの他の例は、「完全な機能」の端末デバイスよりも少ない数の受信アンテナを有するそれらのデバイスおよび「完全な機能」の端末よりも少量の情報ビットを所与の時間で処理する機能を有するそれらのデバイスを含む。
【００１０】
一般的に、「完全な機能」及び「低機能」は通信ネットワークの仕様を参照して判定されてもよく、仕様は明示的または暗黙的に示される相対的機能を構成する。
【発明の概要】
【００１１】
本開示の例示的な実施形態によれば、通信デバイスからモバイル通信ネットワークにデータを送信するまたはモバイル通信デバイスにおいてモバイル通信ネットワークからデータを受信する方法は、モバイル通信ネットワークによって通信デバイスからデータを送信するおよび受信するための無線アクセスインタフェースを提供することを含むことが提供される。無線アクセスインタフェースは、システム帯域幅内において通信リソースを提供し、第１のタイプおよび第２のタイプの通信デバイスに割り当てるためのシステム帯域内における通信リソースを時間分割単位で提供する。第１のタイプの通信デバイスは、第２のタイプの通信デバイスとは異なる機能を有する。方法は、第２のタイプの通信デバイスに割り当てられる、シーケンスの所定のセットからシーケンスを選択することによって、通信デバイスにおいてランダムアクセスメッセージを生成することと、通信デバイスから無線通信ネットワークにランダムアクセスメッセージを送信することと、を含む。所定のシーケンスは、シーケンスがリソース領域の構成であってもよいように、例えば、プリアンブルシグネチャ（ビットシーケンス）であってもよく、異なる周波数又は時間リソースで送信される同じビットを含んでもよい。したがってシーケンスは、通信デバイスを識別するように構成される。さらに方法は、ランダムアクセスメッセージに応答して、第２のタイプの通信デバイスの機能に応じて送信されたランダムアクセス応答を通信デバイスにおいて受信することを含み、ランダムアクセスメッセージは第２のタイプの通信デバイスからのものであり、第２のタイプの通信デバイスに割り当てられた所定のシーケンスから選択された１つであるものとして認識される。この方法によれば、モバイル通信ネットワークは、ランダムアクセスメッセージを形成する際に使用するための異なるシーケンスを異なるタイプの通信デバイスに割り当てることによって、異なるタイプの通信デバイスを差別化するように構成されることができ、従って、異なるタイプの通信デバイスの機能に応じてランダムアクセスメッセージに異なる応答をする。
【００１２】
モバイル通信ネットワークによって形成される無線アクセスインタフェースのアップリンク上でデータを送信する従来の構成によれば、通信デバイスはランダムアクセス要求を送信することによってアップリンク上の通信リソースを要求するように構成される。これに応答してモバイル通信ネットワークは、無線アクセスインタフェースのダウンリンクの共有リソースでランダムアクセス応答メッセージを送信する。
【００１３】
上に示したように、本開示に係る実施形態は、ランダムアクセスメッセージを形成するためのシーケンスの異なるセットを異なるタイプのデバイスに割り当てることによって、通信ネットワークは異なるタイプのデバイスを認識でき、ランダムアクセスメッセージに応答してデバイスのタイプに応じてランダムアクセス応答メッセージを送信できることによって、異なるタイプの通信デバイスに対して異なる応答をするモバイル通信ネットワークを提供するために考案された。通信デバイスのタイプは、デバイスの異なる機能を表してもよい。例えば、上述したようにデバイスは、信号が受信される異なる通信チャネルの最大帯域幅を有してもよく、第２のタイプの通信デバイスと比べて第１のタイプの通信デバイスに使用可能な異なるアンテナの最小の数を有してもよく、または処理する情報ビットの異なる最大レートを有してもよい。
【００１４】
より一般的には、通信デバイスの異なるタイプに割り当てられるシーケンスの異なるセットを構成することにより、モバイル通信ネットワークは、異なるタイプの通信デバイス間でシステム帯域幅の通信リソースを分割することができる。従って、システム帯域幅の通信リソースの一部は、通信デバイスのタイプの１つから「隠され（hidden）」てもよい。
【００１５】
一例では、第２のタイプの通信デバイスは、仮想キャリアを介して通信するように構成される、低減された機能のデバイスであってもよい。無線アクセスインタフェースが仮想キャリアを含むように構成されている場合、ランダムアクセスメッセージに対する任意の応答は、仮想キャリアの共有リソース内で送信されなければならない。しかしモバイル通信ネットワークが、従来の通信デバイス（レガシーＵＥ）と低減された機能のデバイス（ＭＴＣ  ＵＥ）を区別することができない場合、すべての通信デバイスのためのランダムアクセスメッセージに対する任意およびすべての応答は、仮想キャリアのリソース内で送信されなければならない。これは、すべての通信デバイス（レガシー及びＭＴＣタイプ）に対する無線アクセスインタフェースの通信リソースを割り当てるモバイル通信ネットワークの容量を制限することになるであろう。
【００１６】
本技術によると、低減された機能のデバイス（ＭＴＣ  ＵＥ）は、ランダムアクセスメッセージのプリアンブルを形成するシーケンスの所定のサブセットを提供される。このようなモバイル通信ネットワークは、仮想キャリアのリソース内で低減された機能のデバイスからのランダムアクセスメッセージに応答することができ、共有チャネルのリソースのいずれかの範囲内で従来の／レガシーデバイスへのランダムアクセスメッセージに応答することができ、それによって通信リソースを割り当てるネットワークの能力の任意の制限を回避又は少なくとも減少させる。
【００１７】
他の例では、モバイル通信ネットワークは、ランダムアクセスメッセージを送信するための通信デバイスのための通信リソースが通信デバイスの異なるタイプの機能に適合されるように、無線アクセスインタフェースを構成するように構成される。
【００１８】
通信デバイス、インフラ機器および通信デバイスとインフラ機器との間でのデータの通信方法を含むが、それに限定されない、種々のさらなる態様および開示の実施形態は、添付の特許請求の範囲で提供される。
【図面の簡単な説明】
【００１９】
本開示の実施形態は添付の図面を参照することで例示としてのみ示され、同様の部分は対応する参照番号で示される。
【図１】図１は、従来のモバイル通信ネットワークの一例を示す概略図を提供する。
【図２】図２は、従来の３ＧＰＰロングタームエボリューション無線フレームを示す概略図を提供する。
【図３】図３は、従来のＬＴＥダウンリンクサブフレームの例を示す概略図を提供する。
【図４】図４は、従来のＬＴＥ「キャンプオン」手順を示す概略図を提供する。
【図５】図５は、仮想キャリアを含むＬＴＥダウンリンクサブフレームを示す概略図を提要する。
【図６】図６は、ＬＴＥネットワークにおけるＲＲＣ接続手順の例の図を提供する。
【図７ａ】図７ａは、ＬＴＥの競合ベースのランダムアクセス要求手順の図を提供する。
【図７ｂ】図７ｂは、ＬＴＥの非競合ベースのランダムアクセス要求手順の図を提供する。
【図８】図８は、「Ｔ型」仮想キャリアを示す、図３に示された例に対応するダウンリンク無線アクセスインタフェースのサブフレームの簡略化された図である。
【図９ａ】図９ａは、本技術に係る通信デバイスの概略ブロック図である。
【図９ｂ】図９ｂは、本技術に従って適合された基地局（ｅＮｏｄｅＢ）の概略ブロック図である。
【図１０】図１０は、本技術に従う図９ａおよび９ｂの通信デバイスおよび基地局の動作例を提供する例示的なフロー図である。
【図１１】図１１は、本技術の一例に係る低機能デバイスによるランダムアクセスメッセージを形成するためのシーケンスの所定のセットを形成するために使用されるリソースのシーケンスの図的表現である。
【図１２】図１２は、本技術の一例に係るリソース予約の例を提供する。
【図１３】図１３は、本技術の一例に係るリソース予約の例を提供する。
【発明を実施するための形態】
【００２０】
（ネットワーク構造）
図１は、従来のモバイル通信システムを示す概略図を提供する。システムはコアネットワーク１０２に接続された複数の基地局１０１を備え、基地局とコアネットワークは無線インタフェースを提供するように構成される。複数の各基地局はサービスエリア１０３を提供し、サービスエリア１０３内に位置する複数の通信デバイス１０４にサービスする。サービスエリア内の各通信デバイス１０４は、無線インタフェースの無線アップリンクおよび無線ダウンリンクのそれぞれを介してデータを基地局１０１に送信しおよび基地局１０１からデータを受信する。これに対応して、各基地局はそれぞれの無線ダウンリンク及び無線アップリンク上でデータをサービスエリア内にある通信デバイスに送信する及びデータを通信デバイスから受信する。基地局１０１に送信されたデータは、例えば、音声通話、インターネットアクセス、認証、モビリティ管理、課金などのようなサービスが提供されてもよいように、コアネットワーク１０２にルーティングされてもよい。いくつかの例において、図１は、ＬＴＥネットワークおよびエンハンストノードＢ（ｅＮｏｄｅＢまたはｅＮＢ）と呼ばれる基地局を表してもよく、他の例では、基地局とコアネットワークはインフラ機器と呼ばれてもよい。ＬＴＥネットワークでは、例えば携帯電話、タブレット、マシンタイプ通信デバイス等の通信デバイスはまた、ユーザ機器（ＵＥ）と呼ばれてもよい。しかしながら他の例において、通信デバイスはモバイル端末および通信デバイスなどと呼ばれてもよい。
【００２１】
モバイル通信ネットワークまたはシステムは、例えば直交周波数分割多重（Ｏrthogonal  Ｆrequency  Ｄivision  Ｍultiplexing（ＯＦＤＭ））を利用する３ＧＰＰ  ＬＴＥのような、様々な異なる無線インタフェースを利用する。ＯＦＤＭは利用可能な帯域幅を複数の直交サブキャリアに分割し、このリソースをシステム内でデータを通信デバイスに搬送できる所定の構造を形成するために分割することによって動作する。ＬＴＥシステムのダウンリンクにおいて、利用可能なリソースは１０ミリ秒持続する時間的な無線フレームに分割され、各フレームは１ミリ秒継続する１０サブフレームを有する。ＬＴＥ信号のサブフレームは、さらにＯＦＤＭシンボル及び０．５ミリ秒又は６又は７のシンボルの期間にわたって１２のサブキャリアを含むリソースブロックに分割される。これらのリソースブロックは、ダウンリンクおよびアップリンク上でデータを伝送するために使用されるＬＴＥサブフレームの物理チャネルを形成する。
【００２２】
図２は、ＯＦＤＭベースのＬＴＥダウンリンク無線フレーム２０１を示す概略図を示す。ＬＴＥダウンリンク無線フレームは、（エンハンスドＮｏｄｅＢとして知られる）ＬＴＥ基地局から送信され、１０ミリ秒間続く。ダウンリンク無線フレームは１０サブフレームを含み、各サブフレームは１ミリ秒間続く。プライマリ同期信号（primary  synchronisation  signal（ＰＳＳ））及びセカンダリ同期信号（secondary  synchronisation  signal（ＳＳＳ））は、ＬＴＥフレームの第１サブフレーム及び第６サブフレーム内で送信される。プライマリブロードキャストチャネル（primary  broadcast  channel（ＰＢＣＨ））は、ＬＴＥフレームの第１サブフレーム内で送信される。ＰＳＳ、ＳＳＳおよびＰＢＣＨは以下でより詳細に記載される。
【００２３】
図３は、例示的な従来のダウンリンクＬＴＥサブフレームの構造を描いたグリッドの概略図を提要する。サブフレームは、１ミリ秒の期間にわたって送信される予め定められた数のシンボルを含む。各シンボルは、ダウンリンク無線キャリアの帯域幅にわたって分散される予め定められた数の直交サブキャリアを含む。
【００２４】
図３に示される例示的なサブフレームは、１４のシンボル及び、２０ＭＨｚの帯域幅にわたって広がる１２００のサブキャリアを含む。ＬＴＥにおいてデータが送信される最小の単位は、１サブフレームで送信される１２のサブキャリアである。明確にするために、図３では、各個別のリソースエレメントは示されておらず、代わりに、サブフレームのグリッド内の各個別のボックスは、１つのシンボル上で送信される１２のサブキャリアに相当する。
【００２５】
図３は、４つのＬＴＥ端末３４０、３４１、３４２、３４３のためのリソース割り当てを示す。例えば、第１のＬＴＥ端末（ＵＥ１）のためのリソース割り当て３４２は、１２のサブキャリアの５つのブロックにわたって延在し、第２のＬＴＥ端末（ＵＥ２）のためのリソース割り当て３４３は、１２のサブキャリアの６つのブロックにわたって延在する、等である。
【００２６】
制御チャネルデータは、サブフレームの最初のｎ個のシンボルを含む、サブフレームの制御領域３００内で送信され、ここでｎは、３ＭＨｚのチャネル帯域幅については１から３のシンボルの間で可変であり、またｎは、１．４ＭＨｚのチャネル帯域幅については２から４のシンボルの間で可変である。明確にするために、以下の説明は、３ＭＨｚ以上のチャネル帯域幅を有するホストキャリアに関するものであり、ｎの最大値は３になる。制御領域３００内で送信されるデータは、物理ダウンリンク制御チャネル（physical  downlink  control  channel（ＰＤＣＣＨ））、物理制御フォーマットインジケータチャネル（physical  control  format  indicator  channel（ＰＣＦＩＣＨ））及び物理ＨＡＲＱインジケータチャネル（physical  HARQ  indicator  channel（ＰＨＩＣＨ））上で送信されるデータを含む。
【００２７】
ＰＤＣＣＨは、サブフレームのどのシンボルのどのサブキャリアが特定のＬＴＥ端末に割り当てられているかを示す制御データを含む。このため、図３に示されるサブフレームの制御領域３００内で送信されるＰＤＣＣＨデータは、ＵＥ１はリソース３４２の第１のブロックを割り当てられ、ＵＥ２はリソース３４３の第２のブロックが割り当てられている、等を示す。ＰＣＦＩＣＨは制御領域のサイズ（すなわち、シンボル１個分から３個分）を示す制御データを含み、ＰＨＩＣＨは先に送信されたアップリンクデータがネットワークによって首尾よく受信されたか否かを示すＨＡＲＱ（Hybrid  Automatic  Request）データを含む。
【００２８】
あるサブフレームにおいて、サブフレームの中央帯域３１０におけるシンボルは、プライマリ同期信号（ＰＳＳ）、セカンダリ同期信号（ＳＳＳ）及び物理ブロードキャストチャネル（ＰＢＣＨ）を含む情報の送信のために使用される。この中央帯域３１０は、典型的に、７２のサブキャリアの幅（１．０８ＭＨｚの送信帯域幅に相当する）である。ＰＳＳ及びＳＳＳは、一旦検出されるとＬＴＥ端末デバイスがフレームの同期を達成し及びダウンリンク信号を送信しているエンハンスドＮｏｄｅＢのセルＩＤを判定することを可能にする、同期信号である。ＰＢＣＨは、ＬＴＥ端末がセルにアクセスするために必要とするパラメータを含むマスタ情報ブロック（master  information  block（ＭＩＢ））を含む、セルに関する情報を搬送する。物理ダウンリンク共有チャネル（physical  downlink  shared  channel（ＰＤＳＣＨ））上で個々のＬＴＥ端末へ送信されるデータは、そのサブフレームのリソースエレメントの残りのブロックにおいて送信されることができる。これらのチャネルのさらなる説明は、以下のセクションで提供される。
【００２９】
図３はまた、ブロードキャストチャネルで送信されるシステム情報を含み、かつＲ３４４の帯域幅にわたって延在するＰＤＳＣＨの領域も示す。
【００３０】
ＬＴＥチャネルにおけるサブキャリアの数は、送信ネットワークの構成に応じて変えることができる。図３に示されたように、典型的には、この変形例は、１．４ＭＨｚのチャネル帯域幅内に含まれる７２のサブキャリアから２０ＭＨｚのチャネル帯域幅内に含まれる１２００のサブキャリアまでである。当技術分野で知られているように、ＰＤＣＣＨ、ＰＣＦＩＣＨおよびＰＨＩＣＨで送信されるデータは、典型的には、サブフレームの全帯域幅にわたるサブキャリアに分配される。したがって、従来のＬＴＥ端末は、制御領域を受信し、デコードするためにサブフレームの全帯域幅を受信することができなければならない。
【００３１】
（従来のキャンプオン手順）
図４は、キャリア帯域のダウンリンクチャネルを介して基地局によって送信されるダウンリンク送信をデコードできるように端末によって起こされるプロセスである、従来のＬＴＥ「キャンプオン」プロセスを示す。このプロセスを使用して、端末はセルに対するシステム情報を含む送信の一部を識別でき、したがってセルに対する構成情報をデコードできる。
【００３２】
図４において理解されるように、従来のＬＴＥキャンプオン手順では、端末は最初に上述したキャリアの中央帯域におけるＰＳＳおよびＳＳＳを使用して基地局と同期する（ステップ４００）。図３を参照して理解されるように、中央帯域３１０は帯域領域Ｒ３１０を有し、当該帯域はキャリアの中央である（すなわち中央サブキャリアを占める）。
【００３３】
端末は、この中央帯域を検出し、サイクリックプレフィックス期間とセルＩＤを示すＰＳＳおよびＳＳＳを検出する。ＬＴＥにおいて、ＰＳＳ及びＳＳＳは、各無線フレームの第１及び第６サブフレームでのみ送信される。当然ながら別のシステムでは、例えば非ＬＴＥシステムでは、帯域３１０はキャリア帯域の中心になくてもよく、７２のサブキャリアまたは１．０８ＭＨｚより広くまたは狭くてもよい。同様に、サブフレームは異なるサイズまたはサイズであってもよい。
【００３４】
その後端末は、中央帯域３１０で搬送されるＰＢＣＨをデコードし（ステップ４０１）、ここでＰＢＣＨは特定のマスタ情報ブロック（Master  Information  Block（ＭＩＢ）を含む。ＭＩＢは、特にダウンリンクキャリアの帯域幅Ｒ３２０、システムフレーム番号（System  Frame  Number（ＳＦＮ））及びＰＨＩＣＨ構成を示す。ＰＢＣＨで搬送されるＭＩＢを使用して、端末はキャリアの帯域幅Ｒ３２０を認識することができる。端末はまたどこに中央帯域３１０があるかを知っているので、端末はダウンリンクキャリアの正確な領域Ｒ３２０を知る。
【００３５】
各サブフレームに対して、その後端末はキャリア３２０の全帯域幅にわたって分散されるＰＣＦＩＣＨをデコードする（ステップ４０２）。上述したように、ＬＴＥダウンリンクキャリアは最大２０ＭＨｚの広さ（１２００サブキャリア）であり得、従ってＬＴＥ端末はＰＣＦＩＣＨをデコードするために２０ＭＨｚの帯域幅での送信を受信し、デコードする機能を有しなければならない。２０ＭＨｚのキャリア帯域を有する段階において、端末は同期およびＰＢＣＨデコードに関連するステップ４００と４０１（Ｒ３１０の帯域幅）の間よりもはるかに大きな帯域幅（Ｒ３２０の帯域幅）で動作する。
【００３６】
その後端末は、特にシステム情報の送信を識別するためおよび端末の個別の割り当て許可を識別するために、ＰＨＩＣＨの位置を確認し（ステップ４０３）、ＰＤＣＣＨをデコードする（ステップ４０４）。割り当て許可は、システム情報を示すためおよびＰＤＳＣＨ内の端末のデータを示すために端末によって使用される。システム情報および個別の割り当ての両方はＰＤＳＣＨで送信され、キャリア帯域３２０内でスケジュールされる。ステップ４０３および４０４はまた、端末がキャリア帯域の全帯域幅Ｒ３２０で動作することを必要とする。
【００３７】
ステップ４０２から４０４において、端末はサブフレームの制御領域３００に含まれる情報をデコードする。上述したように、ＬＴＥにおいて、上述した３つの制御領域（ＰＣＦＩＣＨ、ＰＨＩＣＨおよびＰＤＣＣＨ）がキャリアの制御領域Ｒ３００にわたって発見され、制御領域はＲ３２０にわたって広がり、上述したように各サブフレームの最初の１つ、２つまたは３つのＯＦＤＭシンボルを占有する。サブフレームにおいて、一般的には、制御チャネルは制御領域３００内のすべてのリソースエレメントを使用しないが、ＬＴＥ端末が、制御チャネルの各々をデコードするために、同時にすべての制御領域３００を受信しなければならないように、制御チャネルは全領域に分散されている。
【００３８】
その後端末は、この端末のために送信されるシステム情報またはデータを含むＰＤＳＣＨをデコードすることができる（ステップ４０５）。
【００３９】
上述したように、一般的にＬＴＥのサブフレームにおいて、制御領域でも、ＰＳＳ、ＳＳＳまたはＰＢＣＨによって占められるリソースエレメントでもないリソースエレメントのグループをＰＤＳＣＨは占有する。図３に示されるリソースエレメント３４０、３４１、３４２、３４３のブロック内のデータは、全体のキャリアの帯域幅よりも小さい帯域幅を有するが、これらのブロックをデコードするために端末は、最初に周波数帯域Ｒ３２０にわたるＰＤＣＣＨを受信し、ＰＤＣＣＨがＰＤＳＣＨのリソースがデコードされるべきであることを示す場合、一旦端末が全体のサブキャリアを受信すると、端末はＰＤＣＣＨによって示される関連する周波数領域のみにあるＰＤＳＣＨをデコードする。よって例えば、上述したようにＵＥ１は制御領域３００の全体をデコードし、そしてリソースブロック３４２のデータをデコードする。
【００４０】
（仮想ダウンリンクキャリア）
ＭＴＣデバイス（上述したようなスマートメータのような半自律又は自律の無線通信デバイス）のようなあるデバイスのクラスは、比較的低い頻度の少量のデータの送信によって特徴づけられる通信アプリケーションをサポートし、したがって従来のＬＴＥ端末よりもかなり簡易にできる。多くのシナリオにおいて、全キャリア帯域幅にわたるＬＴＥダウンリンクフレームからのデータを受信し、デコードする従来のハイパフォーマンスＬＴＥ受信機ユニット機能を有するもののような低機能端末を提供することは、少量のデータのみを通信する必要があるデバイスにとって過度に複雑となる可能性がある。したがって、これは、ＬＴＥネットワークにおける低機能のＭＴＣタイプデバイスの広範な展開の実用性を制限し得る。代わりに、デバイスに送信される可能性のあるデータの量により釣り合ったより単純な受信機ユニットを有するＭＴＣデバイスなどの低機能デバイスを提供することが好ましい。以下に記載されるように、本開示の例に従って、「仮想キャリア」は、従来のＯＦＤＭ方式のダウンリンクキャリア（すなわち「ホストキャリア」）に挿入される。従来のＯＦＤＭ方式のダウンリンクキャリア上で送信されるデータとは異なり、仮想キャリア上で送信されるデータはダウンリンクホストＯＦＤＭキャリアの全帯域幅を処理する必要なく受信され、デコードされる。従って、仮想キャリア上で送信されるデータは複雑さを低減した受信ユニットを用いて受信され、デコードされる。
【００４１】
図５は、本開示の例に従って、ホストキャリアに挿入された仮想キャリアを含むＬＴＥのダウンリンクサブフレームを示す概略図を提供する。
【００４２】
従来のＬＴＥのダウンリンクサブフレームに合わせて、最初のｎシンボル（ｎは図５において３）は、ＰＤＣＣＨで送信されるデータのようなダウンリンク制御データの送信のために予約される制御領域３００を形成する。しかし、図５から理解されるように、制御領域３００の外のＬＴＥダウンリンクサブフレームは、仮想キャリア５０１を形成する中央帯域３１０の下側のリソースエレメントのグループを含む。明確にするために、仮想キャリア５０１は、仮想キャリア５０１で送信されるデータがホストキャリアの残りの部分で送信されるデータと論理的に異なるように扱われ、制御領域３００からすべての制御データを最初にデコードすることなく仮想キャリア５０１で送信されるデータがデコードされるように適合される。図５は、中央帯域の下側の周波数リソースを占有する仮想キャリアを示しているが、一般的に、仮想キャリアは、代替的に、中央帯域の上側の周波数リソースまたは中央帯域を含む周波数リソースを占有することができる。仮想キャリアと、ホストキャリアのＰＳＳ、ＳＳＳまたはＰＢＣＨによって使用されるいずれかのリソース、またはホストキャリアで動作する通信デバイスが正しい動作を要求し得、予め定められた所定の位置を発見することを期待し得るホストキャリアによって送信される他のいずれかの信号と、がオーバーラップするように構成される場合、仮想キャリアの信号はホストキャリアのこれらの側面が維持されるように構成され得る。
【００４３】
図５から理解されるように、仮想キャリア５０１で送信されるデータは、限定された帯域幅にわたって送信される。これは、ホストキャリアの帯域幅より狭いことを提供するいずれかの適切な帯域幅であり得る。図５に示される例では、仮想キャリアは、２．１６ＭＨｚの送信帯域幅に相当する１２のサブキャリアの１２のブロック（例えば、１４４のサブキャリア）を有する帯域幅にわたって送信される。したがって、仮想キャリアで送信されるデータを受信する端末は、２．１６ＭＨｚの帯域幅で送信されるデータを受信および処理できる受信機を装備されることのみ必要とする。これは、低機能端末（例えば、ＭＴＣタイプの端末）に、単純化された受信機ユニットが備えられることを可能にするが、それでも、上述したような、端末に信号の全帯域幅にわたるＯＦＤＭ信号を受信および処理できる受信機を備えられることを要求する従来的なＯＦＤＭタイプの通信ネットワーク内で動作し得ることを可能にする。
【００４４】
上述したように、ＬＴＥのようなＯＦＤＭベースのモバイル通信システムにおいて、ダウンリンクデータは、サブフレーム単位でサブフレームの異なるサブキャリアで送信されるように動的に配置される。したがって、ネットワークは、サブフレームごとに、どのシンボルのどのサブキャリアがどの端末に関係するデータを含むかをシグナリングしなければならない（例えば、ダウンリンク許可信号）。
【００４５】
その結果、図５から理解されるように、仮想キャリアの最後のシンボルは、制御データの送信に対して割り当てられる仮想キャリアの制御領域５０２として予約され得る。いくつかの例によれば、仮想キャリアの制御領域５０２を有するシンボルの数は、例えば３シンボルに固定される。他の例では、仮想キャリアの制御領域５０２は、例えば、１から３のシンボルの間でサイズが変化し得る。
【００４６】
仮想キャリアの制御領域は、例えば、仮想キャリアの最初のいくつかのシンボルにおいて仮想キャリア内の適切な場所に位置付けられ得る。図５の例では、これは、第４、第５、第６のシンボルに仮想キャリアの制御領域が位置付けられることを意味し得る。しかし、たとえホストキャリアの制御領域のシンボル数が変化しても仮想キャリアの制御領域の位置は変化しないので、サブフレームの最後のシンボルにおける仮想キャリアの制御領域の位置を固定することは、利益をもたらす。これは、仮想キャリアのデータを受信するモバイル通信端末によって引き受けられた処理を単純化する。なぜなら、それらにとって、仮想キャリアの制御領域は、サブフレームの最後のシンボルに常に位置付けられていると知られているので、サブフレームごとに仮想キャリアの制御領域の位置を判定する必要がないためである。
【００４７】
さらなる実施形態では、仮想キャリアの制御シンボルは、分割されたサブフレームにおける仮想キャリアのＰＤＳＣＨ送信を参照し得る。
【００４８】
いくつかの例では、仮想キャリアは、ダウンリンクサブフレームの中央帯域３１０内に位置付けられ得る。これは、ＰＳＳ／ＳＳＳおよびＰＢＣＨによって占有されるリソースが仮想キャリアの領域に含まれ得るがホストキャリアＰＤＳＣＧＨ領域内には含まれ得ないために、仮想キャリアの挿入によって引き起こされるホストキャリアのＰＤＳＣＨリソースの減少を最小化する。そのため、例えば、期待される仮想キャリアのスループットに依存し、仮想キャリアの位置は、ＰＳＳ、ＳＳＳおよびＰＢＣＨのオーバヘッドを減らすようにホストキャリアまたは仮想キャリアが選択されるかに応じて、中央帯域の内側または外側のどちらかに適切に選択され得る。
【００４９】
仮想キャリアのコンセプトはまた、同時係属中の特許出願番号（ＧＢ  １１０１１０１９７０．０、ＧＢ  １１０１９８１．７、ＧＢ  １１０１９６６．８、ＧＢ  １１０１９８３．３、ＧＢ  １１０１８５３．８、ＧＢ  １１０１９８２．５、ＧＢ  １１０１９８０．９およびＧＢ  １１０１９７２．６を含む）に記載され、内容は参照によって本明細書に組み込まれる。
【００５０】
（ＬＴＥランダムアクセス手順）
ＬＴＥシステム情報は、識別子または識別シーケンスの番号の構成を含む。そしてこれらの識別子／シーケンスは、通信デバイスのランダムアクセスのために使用されるプリアンブルに含まれる。アップリンクサブフレームは、プリアンブルまたは他の識別番号またはシーケンスが送信される対応する物理ランダムアクセスチャネル（ＰＲＡＣＨ）を含んでよく、ＰＲＡＣＨチャネルの位置の候補はシステムの仕様で定義されている候補のセットに応じてシステム情報で示される。本技術の一態様によれば、ＰＲＡＣＨおよび通信デバイスの異なるタイプで使用される識別子／シーケンスは、無線アクセスインタフースの異なる通信リソースを割り当てるために動的に構成される。これは以下に説明される。しかし最初に、ランダムアクセス手順が以下でより詳細に説明される。
【００５１】
図６は、ＬＴＥネットワークにおいて通信デバイスが基地局に接続し、したがって、ＲＲＣアイドルからＲＲＣ接続に遷移することができるプロセスを示す図を提供する。最初に、通信デバイスはＯＦＤＭフレームと同期されておらず、したがって通信デバイスは説明されるキャンプオン手順を行うことを求められる。ダウンリンクフレームと同期されると、通信デバイスはＰＤＣＣＨおよびＰＢＣＨ上の制御情報を受信でき、その後、アップリンクランダムアクセス手順のために使用されるプリアンブルの識別子、セルにおいて使用できるプリアンブルの番号、例えば６４、およびＰＲＡＣＨの位置を搬送するシステム情報を受信できる。識別子が受信される、および／または選択されると、関連するプリアンブルが図６において通信６０１によって示されるランダムアクセス要求メッセージとしてＰＲＡＣＨチャネルで基地局に送信される。基地局へのランダムアクセス要求メッセージの送信は、通信デバイスがアップリンクおよび潜在的にダウンリンクで割り当てられるべきリソースを要求することを示す。ランダムアクセス要求メッセージの受信に応答して、基地局は通信デバイスにリソースを割り当て、通信デバイスにランダムアクセス要求応答メッセージ６０２を送信する。ランダムアクセス応答６０２は、その通信デバイスに割り当てられたリソースを通信デバイスに示し、さらなるランダムアクセス手順を必要とせずにタイミングアドバンスを実現することができるように、通信デバイスが基地局のアップリンクフレームと同期できるようにする。
【００５２】
ランダムアクセス応答６０２を受信し、基地局のアップリンクフレームと同期されることに応答して、通信デバイスは、ランダムアクセス応答６０２で通信デバイスに割り当てられたアップリンクリソースで基地局に無線リソース制御（ＲＲＣ）接続要求６０３を送信してもよい。このＲＲＣ接続要求は、通信デバイスおよび通信ネットワークまたは基地局におよび／またはからデータを送信するための無線通信ベアラを確立するための通信ネットワークへの要求を表すが、また基地局からのサービスの他のタイプに対する要求であってもよい。ＲＲＣ接続要求メッセージ６０３が基地局によって受信された場合、基地局は、通信デバイスに通知６０４を送信することによって要求の正常な受信を知らせる。通知６０４は、接続の成功を表すものではなく、単純にＲＲＣ接続要求内のデータの正常な受信を表す。要求の正常な受信は、巡回冗長検査（ＣＲＣ）または同様のエラー検出方法を使用することにより評価されてもよい。ＲＲＣ接続設定６０６を確認するさらなる要求が、基地局および通信デバイスそれぞれによって送信および受信されることが必要とされる。図１に示されたようなモバイル通信システムにおいて、接続または他の要求が通信デバイスによって行われた場合、この要求は、例えばｅＮＢがＭＭＥまたはＳＧＷに要求を渡すように、コアネットワーク内の後続の機器に渡すことが必要とされてもよい。したがって、ＲＲＣ接続要求に関連付けられた処理時間は可変であってもよく、ＲＲＣ接続要求に対する応答は基地局によって通信デバイスに直ちに送信されなくてもよい。このような状況を考慮に入れて、ＬＴＥシステムにおいて通信デバイスは、所定の期間のウィンドウ内でＲＲＣ接続要求に対する応答の受信を試みる。ＲＲＣ接続要求の送信に応答して、通信デバイスは、通信デバイスがＲＲＣ接続要求に対する応答を受信しようと試みる待機タイマ６０５を開始する。例えば、ＬＴＥシステムでは、通信デバイスは、基地局によってブロードキャストされるシステム情報ブロック内のタイマＴ３００によって特定される複数の所定の値のいずれか１つに待機タイマを設定し、ここでタイマは最大２０００ミリ秒まで値を有することができる。通信デバイスにおける待機タイマの終了前にＲＲＣ接続設定メッセージ６０６が送信された場合、ＲＲＣ接続要求が処理され接続が確認されると、ＲＲＣ接続設定メッセージ６０６が通信デバイスに送信され、通信デバイスによって受信される。通信デバイスがＲＲＣ接続設定を受信すると通信デバイスはＲＲＣ接続設定メッセージの無事な受信を通知するために、基地局に通知６０７を送信する。通知が基地局によって受信されない場合、基地局はＲＲＣ接続設定メッセージを再送信してもよい。
【００５３】
（競合および非競合ベースのＬＴＥランダムアクセス手順）
図６はランダムアクセス手順の概要を提供したが、メッセージの正確な内容は、実行されるランダムアクセス手順の厳格な種類に応じて変化し得る。例えば、ＬＴＥシステムにおけるランダムアクセス手順は、基地局、通信デバイスおよび接続が確立されると送信されるべきデータの性質の目的に依存して競合または非競合ベースの手順であってもよい。
【００５４】
図７ａは、ユーザデバイスがＬＴＥネットワークへのアクセスを要求するために実行するＬＴＥの競合ベースのランダムアクセス手順を示す。最初にユーザデバイスは、基地局によってダウンリンクフレームでＳＩＢ２のようなシステム情報ブロック（ＳＩＢ）でブロードキャストされる競合ベースのランダムアクセスプリアンブルのセットからランダムアクセスプリアンブルを選択する。ユーザデバイスは選択されたランダムアクセスプリアンブル７０１を基地局に送信し、ここでこの送信はネットワークへのアクセスを要求するアクセス要求メッセージとして機能し、プリアンブルはユーザデバイス識別子として機能し、プリアンブル７０１は図６の６０１に相当する。ランダムアクセスプリアンブルは、アップリンクフレームの物理ランダムアクセスチャネル（ＰＲＡＣＨ）のような無線アクセスインタフェース内の物理チャネル上で送信されてもよい。ランダムアクセスプリアンブルが基地局によって受信されると、ステップ７０２で、基地局は、例えばランダムアクセス応答（図６の６０２に相当するＲＡＲ）などの応答メッセージを送信する。ユーザデバイスがＲＡＲを見つけることができる物理ダウンリンク共有チャネル（ＰＤＳＣＨ）のようなダウンリンクチャネルの時間と周波数におけるリソースは、ランダムアクセス無線ネットワーク一時識別子（ＲＡ−ＲＮＴＩ）に対して向けられ、応答メッセージと同じサブフレームで送信される物理ダウンリンク制御チャネル（ＰＤＣＣＨ）のような制御チャネル上のメッセージで示される。従ってこのメッセージは、応答メッセージを受信する前に受信される必要がある。特に、現在のサブフレームで応答メッセージが見つけられるリソースのユーザデバイスを通知するダウンリンク制御情報（ＤＣＩ）メッセージはＰＤＣＣＨで送信され、いくつかの例においてＲＡ−ＲＮＴＩは関連するアクセス要求メッセージの時間および周波数の送信識別子から形成される。応答メッセージは、少なくとも受信されたプリアンブル、タイミング調整コマンド、割り当てられたアップリンクリソース許可および一時セルＲＮＴＩ（Ｃ−ＲＮＴＩ）の識別子を含む。応答メッセージを受信すると、ユーザデバイスは、ステップ７０３で示されるように無線リソース制御（ＲＲＣ）接続要求のような意図されたメッセージを含むスケジュールされた送信を割り当てられたアップリンクリソースで送信し、ここで図６の６０３で示されるように、メッセージはＲＲＣ接続要求であってもよい。最後にステップ７０４において、意図されたメッセージを受信すると、基地局は図６の通知６０４に相当する競合解決メッセージを送信する。競合解決メッセージは、競合解決メッセージが向けられたユーザデバイスによって例えばＨＡＲＱ  ＡＣＫ／ＮＡＣＫを用いて確認される。このようにこの手順は、同時に複数のユーザデバイスが同一のプリアンブルを使用することおよび／または同じチャネルを介してランダムアクセス要求を送信することの可能性を克服する。
【００５５】
図７ｂは、ＬＴＥネットワークにおいてリソースを要求するため、またはハンドオーバを実行するための非競合ベースのランダムアクセス手順の例を示し、プリアンブルは非競合ベースのプリアンブルの所定のセットから基地局によって通信デバイスに割り当てられる。アクセス要求メッセージにおけるユーザデバイスからのランダムアクセスプリアンブルの送信に先立って、ステップ７５１において、基地局はプリアンブルの非競合ベースのセットからプリアンブルをユーザデバイスに割り当てる。この割り当ては、ＰＤＣＣＨのフォーマット１Ａのダウンリンク制御情報（ＤＣＩ）メッセージを介して行われてもよく、またはユーザデバイスが最近基地局によってサービスされるセルに入った場合、ハンドオーバコマンドを介して行われてもよい。ステップ７５２で、ユーザデバイスは、基地局に割り当てられたプリアンブルを送信する。プリアンブルが基地局で受信されると、ステップ７５３で、基地局は、例えばランダムアクセス応答のような応答メッセージを送信し、ここで応答メッセージは図７ａのステップ７０２で送信される応答メッセージと同様の情報を含む。応答メッセージがユーザデバイスで受信されると、ユーザデバイスは、応答メッセージに示され、割り当てられたアップリンクリソースで意図されたメッセージを送信する。
【００５６】
競合および非競合ベースのランダムアクセス手順が別々に説明されたが、２つのアプローチはセルまたはシステム内で共存してもよく、プリアンブルのセットは競合ベースと非競合ベースのグループに分割される。通信デバイスがランダムアクセス手順を実行する必要がある場合に通信デバイスが適切なグループからプリアンブルを選択することができるように、グループのこの分割及びサイズは、例えば、numberofRaPreamblesおよびsizeOfRaPreamblesGroupのフィールドを使用してＳＩＢ２で基地局によって示されてもよい。
【００５７】
非ＭＴＣデバイスおよび他の従来のデバイスのような従来のＬＲＥデバイスに対してランダムアクセス手順を行う場合、ランダムアクセス応答はＰＤＳＣＨにおいて利用可能なリソースのいずれかで送信されてもよく、位置はＰＤＣＣＨにおいて示される。従って、ランダムアクセス応答を受信することができるように、従来のデバイスは、実質的にシステムの全帯域幅にわたってデータを受信するように動作可能であることが要求される。これは従来のＬＴＥデバイスに対して問題ではないが、このアプローチは、低減された帯域幅にわたっておよび／または上述した仮想キャリアのコンセプトに従って動作するように構成される、ＭＴＣデバイスのような低コストと複雑さを低減したデバイスの低減された帯域幅機能を考慮していない。例えば、ＭＴＣを意図したランダムアクセス応答が仮想キャリアの外のＰＤＳＣＨで送信される場合、意図されたＭＴＣデバイスは、ランダムアクセス応答を受信することができない。
【００５８】
この問題を克服するために、基地局は、仮想キャリアが動作してもよい、ＰＤＳＣＨのリソースの制限されたセットでランダムアクセス応答を送信するように構成されてもよい。したがってＭＴＣデバイスは、その受信帯域幅を増加させることを必要とされず、それらの意図されたランダムアクセス応答を受信することができる。しかし、これはＭＴＣの受信問題に対処しているが、このアプローチは、基地局がＭＴＣからのランダムアクセス要求と従来のＬＴＥデバイスからのランダムアクセス要求を区別できないとき、実質的にすべてのランダムアクセス応答がリソースの制限されたセットで送信される必要があるので、ＰＤＳＣＨのリソースの制限されたセットにおいて輻輳をもたらすことがある。したがって基地局は、リソースの制限されたセットに対してＭＴＣのランダムアクセス応答のみをスケジュールすることができないかもしれない。輻輳の影響は多くの形で現れ、例えば、少数のランダムアクセス応答が全体的にスケジュールされ、少数の通信デバイスが最初のＲＲＣ接続でサービスされるので全体のセル容量が低減され、したがってセットアップ遅延を引き起こす。これらの影響の両方は、エンドユーザーのサービスに悪影響を及ぼす。
【００５９】
ＭＴＣまたは他の低減された帯域幅のデバイスと従来のＬＴＥデバイスが混在システムにおけるリソース割り当ての問題は、「Ａｎａｌｙｓｉｓ  ｏｆ  ＲＡＮ２  Ｉｍｐａｃｔｓ  ｏｆ  Ｌｏｗ  Ｃｏｓｔ  ＵＥ」  ＺＴＥ  （Ｒ２−１３３９０８）  （９）、「Ｃａｐａｂｉｌｉｔｉｅｓ  ｏｆ  Ｌｏｗ  ＣｏｓｔｓｕｒａｓｓｈｕＣｏｍｐｌｅｘｉｔｙ  ＭＴＣ  ＵＥｓ」  Ｅｒｉｃｓｓｏｎ  （Ｒ２−１３４２９９）  （１０）、および「Ｉｍｐａｃｔｓ  ｏｆ  Ｎａｒｒｏｗ  Ｂａｎｄｗｉｄｔｈ  Ｃｈａｒａｃｔｅｒｉｓｔｉｃ  ｏｆ  Ｌｏｗ  Ｃｏｓｔ  ＭＴＣ  ＵＥ」  ＬＧ  Ｅｌｅｃｔｒｏｎｉｃｓ  Ｉｎｃ．  （Ｒ２−１３４３７１）を含む、３ＧＰＰ標準化プロセスへの議論のために提出された文書で対処されてきた。例えば上述した問題を解決するために、「Ｃａｐａｂｉｌｉｔｉｅｓ  ｏｆ  Ｌｏｗ  ＣｏｓｔｓｕｒａｓｓｈｕＣｏｍｐｌｅｘｉｔｙ  ＭＴＣ  ＵＥｓ」  Ｅｒｉｃｓｓｏｎ  （Ｒ２−１３４２９９）  （１１）において、基地局は、仮想キャリアが動作するＰＤＳＣＨのリソースの制限されたセットでランダムアクセス応答を送信するように構成されてもよいことが提案されている。したがって、ＭＴＣデバイスは、その受信帯域幅を増加させることを必要とされず、それらの意図されたランダムアクセス応答を受信することができる。しかし、これはＭＴＣの受信の問題に対処しているが、基地局がＭＴＣからのランダムアクセス要求と従来のＬＴＥデバイスからのランダムアクセス要求を区別できないとき、実質的にすべてのランダムアクセス応答がリソースの制限されたセットで送信される必要があるので、このアプローチはＰＤＳＣＨのリソースの制限されたセットにおいて輻輳をもたらす。したがって、基地局は、リソースの制限されたセットに対してＭＴＣのランダムアクセス応答のみをスケジュールすることができない。輻輳の影響は多くの形で現れ、例えば、少数のランダムアクセス応答が全体的にスケジュールされ、少数の通信デバイスが最初のＲＲＣ接続でサービスされるので全体のセル容量が低減され、したがってセットアップ遅延を引き起こす。これらの影響の両方は、エンドユーザーのサービスに悪影響を及ぼす。
【００６０】
（適合されたランダムアクセス手順）
仮想キャリアのリソースを含むように適合された無線アクセスインタフェースは、ＬＴＥのＰＤＣＣＨに対応する制御チャネルがサブフレームの最初の部分を形成してシステム帯域幅にわたって広がり、ＬＴＥのＰＤＳＣＨに対応する仮想キャリアのリソースは共有チャネルのリソースの中心に実質的に形成され、Ｔ型を形成するので、「Ｔ型」であると考えられてもよい。Ｔ型の割り当てでは、ＭＴＣ  ＵＥは、全帯域幅のＰＤＣＣＨを受信するが、制限された狭い帯域のＰＤＳＣＨの割り当てのみを受信するように構成される。これは、ＭＴＣ  ＵＥにおいて必要とされるベースバンド処理を減少させ、従って、このようなＵＥの実装のコストを下げることになる。後方互換性を維持するために、ＰＤＣＣＨの構造は変わらないことが望まれる。
【００６１】
仮想キャリアを含む無線アクセスインタフェースのＴ型配置の簡略化された図が図８に示される。図８から理解されるように、ＬＴＥの例でのＰＤＣＣＨである制御チャネル７０は、ＬＴＥのＰＤＳＣＨに対応する共有チャネルをも含むサブフレームの開始において示される。ＰＤＳＣＨの実質的に中央が、ＭＴＣ  ＵＥとしても知られている低機能デバイスのためのデータリソースの割り当てを含む仮想キャリア７４を形成するリソースの領域である。
【００６２】
上述したように、ランダムアクセス信号を送信した通信デバイスを識別するために使用されるシーケンスは、シーケンスのセットから形成される。シーケンスは、ランダムアクセスメッセージのプリアンブルを形成する。シーケンスは、拡大されたシーケンスであってもよく、他の例において「シーケンス」は、プリアンブルシグネチャ（すなわちアクチュアルビット）の可能性だけに言及されなくてもよく、また異なる周波数又は時間リソースで送信される同一のビットを含んでもよい。「シーケンス」は「リソース領域構成（ｒｅｓｏｕｒｃｅ  ｒｅｇｉｏｎ  ａｒｒａｎｇｅｍｅｎｔｓ）」と交換可能に使用されてもよいように、シーケンスは「リソース領域構成」を意味してもよい。
【００６３】
本技術によれば、ネットワークは、低機能ＵＥがランダムアクセスメッセージを送信するときに使用する、シーケンスまたはランダムアクセスプリアンブルのサブセットを予約（ｒｅｓｅｒｖｅ）する。この構成によれば、通信ネットワークは、全てのＵＥのために仮想キャリアのリソースの制限されたサブセットにおいてランダムアクセス応答メッセージをスケジュールしなければならないことを回避することができる。
【００６４】
第１の実施形態では、これは、低コストデバイスで使用されることを示すランダムアクセスプリアンブルのサブセットの中からのみ選択するようにＭＴＣ  ＵＥが構成されることによって実現される。さらに低機能デバイスではない従来のＵＥ（ＬＴＥリリース１２のＵＥ）は、予約されたランダムアクセスプリアンブルのこれらの番号Ｎのうちの１つを選択することを回避できる。本開示に従って動作できないＵＥはこの構成を認識せず、したがって、（６４のランダムアクセスプリアンブルがある場合）従来のＵＥが影響を受ける確率はＮ／６４である。一例では、予約された範囲内にないプリアンブルを選択する他のレガシーまたは従来のＵＥは、低減された帯域幅領域の外にスケジュールされることができる。
【００６５】
通信デバイス（ＭＴＣ  ＵＥ）１０４および適合されたｅＮｏｄｅＢ１０１が、図９ａおよび図９ｂに示される。図９ａに示されるように、ＭＴＣ  ＵＥは、アンテナ２２３と結合された送信機２２０および受信機と、コントローラ２２４を含む。コントローラ２２４はまた、ランダムアクセスメッセージを形成するための所定のシーケンスを含むデータストアへのアクセスを有する。同様に、適応されたｅＮｏｄｅＢ１０１は、アンテナ２３４に結合された送信機２３０および受信機２３２と、コントローラ２３６を含む。コントローラ２３６は、その中にランダムアクセスメッセージを形成するためのシーケンスまたはプリアンブルのセットが記憶されたデータストア２３８へのアクセスを有する。
【００６６】
図１０は、本技術に係るＭＴＣ  ＵＥ１０４及び基地局１０１の動作例を示す概略的なシグナリングフロー図を提供する。
【００６７】
Ｍ１：必要に応じて適合されたｅＮｏｄｅＢ１０１は、仮想キャリアの通信リソースにアクセスするＭＴＣ  ＵＥによる使用のためのシーケンスのセットからシーケンスの所定のセットを選択するように構成される。一例では、適合されたｅＮｏｄｅＢ１０１は、ブロードキャストチャネルを使用してセル内に、ＭＴＣ  ＵＥに割り当てられているシーケンスの所定のセットの指示を送信する。ＬＴＥの例の場合、これは、ランダムアクセスメッセージを生成するためのプリアンブル（シーケンス）の所定のセットの割り当ての指示を含むシステム情報（ＳＩ）を使用して行われる。以下に説明されるように、一例ではシーケンスの全体のセットは、非競合ベースのシーケンスおよび競合ベースのシーケンスを含み、ＭＴＣ  ＵＥに割り当てられるシーケンスの所定のセットは、非競合ベースのシーケンスから選択される。
【００６８】
Ｓ２：通信デバイス１０４は、仮想キャリアの帯域幅を介して信号を送信または受信するＭＴＣ  ＵＥに割り当てられたシーケンスの所定のセットからシーケンスを選択することによってランダムアクセスメッセージを生成する。
【００６９】
Ｍ４：通信デバイス１０４は、無線通信ネットワークによって提供される無線アクセスインタフェースを介して通信デバイスからのランダムアクセスメッセージを送信する。
【００７０】
Ｍ６：ランダムアクセスメッセージに応答して、通信デバイス１０４は、仮想キャリア帯域内で通信デバイスに割り当てられた通信リソースから送信されたランダムアクセス応答メッセージを通信デバイスにおいて受信し、ランダムアクセスメッセージは、低機能端末に割り当てられた所定のシーケンスのうちの選択された１つからの低機能端末からのものとして認識される。
【００７１】
モバイル通信ネットワークがプリアンブルシーケンスの割り当てを設定する第２の実施形態において、モバイル通信ネットワークは、パラメータであるnumberOfRA-Preamblesを使用して、従来のＵＥにシグナリングされるプリアンブルの数を減らす。パラメータは、最初のアクセスにおいて利用可能である、利用可能な競合ベース（すなわち、非専用の）のプリアンブルの番号を示す。残りの利用可能なプリアンブルは、非競合ベース、すなわち専用プリアンブルである。これらは、例えばハンドオーバにおける使用のためにＰＤＣＣＨで明示的にＵＥにシグナリングされることができる。
【００７２】
上記に示されたように、次にモバイル通信ネットワークは、ＭＴＣのために予約された、非競合ベース（すなわち専用のプリアンブル）の中から取られるプリアンブルの番号をＭＴＣ  ＵＥにシグナリングする。モバイル通信ネットワークは、従来のＵＥが非競合ベースのプリアンブルを必要とする場合、従来のＵＥが非競合ベース、すなわち専用プリアンブルであると考えるＭＴＣ  ＵＥに割り当てられたこれらのプリアンブルを従来のＵＥにスケジューリングすることを避けることができる。これは、モバイル通信ネットワークが、従来のおよび他のＵＥとＭＴＣ  ＵＥとを明確に区別できることを意味する。
【００７３】
この例では、例えば６４の競合ベースのプリアンブルの代わりの４０の競合ベースのプリアンブルにおいて競合する競合の確率は、従来のＵＥに対して増える。または、非競合のセットが増加されない場合、例えば、このようなプリアンブルのセットがより小さくなるので、非競合ベースのプリアンブルが利用可能になることをより長時間待つため、ハンドオーバの遅延が増加されるかもしれない。したがって、別の例では、別のリソースドメインが、適合された基地局１０１に従来の／レガシーＵＥに関する減少されたプリアンブルスペースの影響を最小限に抑えるための十分な柔軟性を与えるために使用されてもよい。従って他のドメインの１つ以上は完全に明確な区別を可能にすることができ、時間および周波数リソースがオーバーラップしない限り、従来のＵＥに影響しない。
【００７４】
ランダムアクセスプリアンブルの追加の構成は、セルへのアクセスが許可されるか否かを判定するためにＭＴＣ  ＵＥによって使用されてもよい。例えば高負荷の場合、ネットワークは、非ＭＴＣ  ＵＥに対するＰＲＡＣＨの容量を増加させるために非ＭＴＣ  ＵＥに可能なプリアンブルのすべてを割り当てることを望む。ＭＴＣ  ＵＥのような通信デバイスの別のタイプに割り当てられるシーケンスを制御することによって、通信デバイスのクラスから効率的に「隠され（hidden）」てもよい通信リソースの追加セットの構成を無効にまたは除去することにより、モバイル通信ネットワークは利用可能な通信リソースへのアクセスを制御できる。例えばこの構成は、セルを塞ぐ（bar）またはＭＴＣ  ＵＥによるセルへのアクセスを抑えるために効果的に使用される。
【００７５】
シーケンスの全体のセットからの所定のシーケンス（プリアンブル）の割り当ての例が、図１１に示される。ランダムアクセスプリアンブルと呼ばれるシーケンスの全体のセットが、図１１に図式的に表される。図１１から理解されるように、１からＮのランダムアクセスプリアンブルシーケンスの各々は、競合ベースのアクセス９０または非競合ベースのアクセス９２のいずれかに割り当てられる。例えばハンドオーバを行う場合、非競合ベースのアクセスがＵＥに対して割り当てられる。競合ベースのプリアンブルは、システム帯域幅の共有チャネル７２におけるリソースの許可を要求するＵＥに割り当てられる。一例において図９に示されるように、非競合ベースのプリアンブルからのプリアンブルのセットは、仮想キャリア内のリソースを要求するためのアップリンクの競合アクセスを行うためにＭＴＣ  ＵＥに割り当てられる。
【００７６】
（技術の実装例）
１つの実装例において、情報要素であるRACH-ConfigCommonが、モバイル通信ネットワークにおける適合されたｅＮｏｄｅＢによって情報ブロックタイプ２（information  block  type  2）で通信デバイスに送信され、ランダムアクセスのための構成情報を提供するために使用される。ＴＳ  ３６．３２１において、「numberOfRA-Preambles」は、非専用ランダムアクセスプリアンブルの番号を示す。以下の例の変更が必要とされる。
2016538781.tif 000003
2016538781.tif 000004
【００７７】
（例）
モバイル通信ネットワークは、値をシグナリングする。
・numberOfRA-Preambles  ＝  ｎ４０
・numberOfRA-Preambles-MTC  ＝  ｎ８
【００７８】
競合ベースのランダムアクセスプリアンブルを送信する場合、範囲０−３９におけるプリアンブルは従来のおよび他のＵＥによって使用される。
【００７９】
範囲４０−４７におけるプリアンブルは、競合ベースのプリアンブルを送信するためにＭＴＣ  ＵＥによって使用されてもよい。この例ではＵＥ  ＭＡＣが競合ベースのランダムアクセスに対して選択できないため、従来のＵＥはこれらは専用プリアンブルのためのものであり、それらをまったく使用しないと考え、モバイル通信ネットワークは非競合ベースのためにこれらを割り当てない。範囲４８−６３におけるプリアンブルは、非競合ベースのプリアンブルを必要とする手順（例えば、ハンドオーバ）を実行する場合に使用するためのものである。この構成は、モバイル通信ネットワークにリソースの制限されたサブセット内のランダムアクセス応答を、従来のＵＥに対する全体システム性能に影響を与えることなく低減された帯域幅のＵＥにスケジュールすることを可能にする。
【００８０】
上述したように、第２の実施例の記載のような本技術の態様のように、通信ネットワークは「隠れ（hid）リソース」に構成されることができる。本技術に従って構成されていない従来のＵＥは、通常通りプリアンブル（シーケンス）の構成を受信し、解釈することができ、それらが候補プリアンブル（シーケンス）のいくつかのサブセットから使用することを防がれていることを認識しない、換言すると、いくつかのプリアンブルのリソースがそのようなＵＥから隠されているということを意味する。一方、本開示に従って動作可能なＵＥは、それらのプリアンブルへのアクセスが特に制限されるシーケンスの所定のセットを含むランダムアクセスリソースの構成を提供されてもよい。したがって制限されたアクセスは、それらの低減された機能に合致させるために使用される。本技術によれば、競合ベースのプリアンブルの予約は従来のＵＥから隠されるが、ネットワークおよびＭＴＣ  ＵＥはこのような構成を認識するので、ＵＥのタイプは明確にｅＮｏｄｅＢに示される。
【００８１】
別のリソースドメインの使用例は、ＴＤＤ  ＬＴＥシステムである。そのようなシステムにおいて、ＵＥによってランダムアクセスチャネル（ＰＲＡＣＨ）が送信されるサブフレーム内の複数のリソース領域構成が存在することができ、ＦＤＤに対して、サブフレームごとにＰＲＡＣＨのための１つのリソース領域構成が常にある。ＬＴＥのリリース１１の仕様によると、ＴＤＤに対するランダムアクセスメッセージのプリアンブルを形成するための６４リソース領域構成を定義することが可能であるが、５７のみが定義されており、ネットワークを構成するために利用可能である。ＬＴＥのリリース１１の仕様の例において、これらの５７のリソース領域構成の最大６つがＴＤＤのアップリンクサブフレームで利用できるようにすることができる。したがってこの例では、ＭＴＣ  ＵＥのような異なるタイプの通信デバイスに対する通信リソースの割り当てを区別するために、仕様はＴＤＤ  ＰＲＡＣＨの残りの７つの構成の一部またはすべてを使用するように改訂することができる。新しい７つの構成は、既存の５７の構成と時間／周波数リソース内で非重複するように定義されることができる。したがってＭＴＣ  ＵＥは、ランダムアクセスメッセージを生成するためのシーケンスの所定のセットを含む従来のＴＤＤランダムアクセス構成を受信し、よってこれらのランダムアクセスリソースにアクセスし、同様に７つ新しい構成のうちの１つ（または複数）の追加の構成を受信する。複雑さが低減されたＵＥは、それが有する新しい構成のみを使用することが必要とされ、対してこの開示によって動作可能な他のＵＥは既存または新規のランダムアクセス構成のいずれかを使用することができる。したがってｅＮＢは、ＵＥが新しいまたは既存の構成でランダムアクセスメッセージのプリアンブルに割り当てられた所定のシーケンスの一つを使用するランダムアクセスメッセージを送信することによる、低減された機能を有するかどうかを認識する。本開示に従って構成されていないＵＥは、それらから隠された新しいＰＲＡＣＨリソースを有する。
【００８２】
本技術の別の実装例が図１２及び１３で提供される。図１２は、本技術に応じるリソースまたはプリアンブルの予約の例を提供する。６４のプリアンブルのセットは、３セットに分けられる。３２のプリアンブル（すなわち０〜３１のプリアンブル）の第１のセット１２０１は、競合ベースのランダムアクセス要求においてレガシーまたは従来のＬＴＥデバイスによる使用のためのものである。このようなデバイスで使用される場合、基地局は、システム全体の帯域幅内の任意の場所でランダムアクセス要求に応答することができる。８つのプリアンブルの第２のセット１２０２は、主にＭＴＣまたは他の低減された帯域幅のデバイスでの競合ベースのランダムアクセス要求に対する使用のために予約されるが、従来のデバイスはまた、競合ベースのランダムアクセスプリアンブルとしてこのセットをみなすので、このセットからプリアンブルを選択してもよい。基地局が第２のセットからのプリアンブルを利用するランダムアクセス要求を受信した場合、基地局は、ＭＴＣデバイスが応答を受信できるように、例えば仮想キャリア帯域幅のようなリソースの低減されたセットでランダムアクセス応答を送信する。２４の大きさを有する第３のセットのプリアンブル１２０３は非競合ベース専用のランダムアクセスプリアンブルとして使用され、プリアンブルはすべてのデバイスによって使用され得るが、例えばハンドオーバのような手順のために基地局によって割り当てられる。プリアンブルの予約および設定サイズの指示は、システム情報ブロックのうちの１つのようにブロードキャストのリソースで通信デバイスに提供されてもよい。例えば、numberOfRA-Preambles-MTCのようなフィールドは、ＭＴＣプリアンブルが８つであり、したがってＭＴＣデバイスはこれらのプリアンブルから選択する必要があることを示してもよく、numberOfRA-Preamblesのようなフィールドは、従来のデバイスによる使用のために意図されるプリアンブルの数は４０であること示すために使用されてもよい。
【００８３】
図１３は、本技術の一例に従ったプリアンブルの予約および割り当てのさらなる例を提供する。図１２のように、６４のプリアンブルのセットは、３セットに分割される。４０のプリアンブルの第１のセット１３０１は、図１２の第１のセットに相当し、従来の通信デバイスによる競合ベースのランダムアクセス手順のための非専用プリアンブルとしての使用のために意図される。残りの２４のプリアンブルは、２つのセット、すなわち第２セット１３０２と第３のセット１３０３に分けられるが、図１２と対照的にこれらのセットの両方は、それらは従来のデバイスのようなデバイスによって選択されないので、従来のデバイスによる非競合ベースのプリアンブルとみなされる。第２のセット１３０２のプリアンブルは、ＭＴＣデバイスによる競合ベースのランダムアクセスプリアンブルとして使用され、基地局は従来のデバイスに第２のセットのプリアンブルを割り当てることを避ける。第３のセット１３０３のプリアンブルは、非競合ベースのランダムアクセスプリアンブルのセットとして使用され、基地局は自由に任意の通信デバイスにこれらを割り当てることができる。図１２を参照して説明されたように、ＭＴＣデバイスおよび従来のデバイスが正しいセットから競合ベースのプリアンブルを選択するように、プリアンブルのセットの指示は通信デバイスに提供されてもよい。
【００８４】
以下の番号の段落にさらなる態様及び本技術の特徴の例が定義される。
（１）
データを通信デバイスからモバイル通信ネットワークに送信する、または前記モバイル通信デバイスにおいてデータを前記モバイル通信ネットワークから受信する方法であって、前記方法は、
データを前記通信デバイスに送信する及び前記通信デバイスから受信するために無線アクセスインタフェースを前記モバイル通信ネットワークによって提供すること、を含み、前記無線アクセスインタフェースはシステム帯域幅内でおよび時分割単位で通信リソースを提供し、かつ前記システム帯域幅内で第１のタイプおよび第２のタイプの通信デバイスへの割り当てのための通信リソースを提供し、前記第１のタイプの前記通信デバイスは前記第２のタイプの通信デバイスと異なる機能を有し、さらに前記方法は、
前記第２のタイプの前記通信デバイスに割り当てられたシーケンスの所定のセットからシーケンスを選択することによってランダムアクセスメッセージを前記通信デバイスにおいて生成することと、
前記ランダムアクセスメッセージを前記通信デバイスから前記無線通信ネットワークに送信することと、
前記ランダムアクセスメッセージに応答して、前記第２のタイプの前記通信デバイスの前記機能に応じて送信されたランダムアクセス応答を前記通信デバイスにおいて受信することと、を含み、前記ランダムアクセスメッセージは前記第２のタイプの前記通信デバイスに割り当てられた前記所定のシーケンスの選択された１つからのものとして認識されることで、前記第２のタイプの通信デバイスからのものとして認識される、方法。
（２）
前記無線アクセスインタフェースは、仮想キャリア帯域幅の通信リソース内で信号を送信または受信するための、前記第２のタイプの通信デバイスに対する好適な割り当てのための前記システム帯域幅の前記通信リソースのセットを定義する前記仮想キャリアを含み、前記第２のタイプの前記通信デバイスの前記機能に応じて送信されたランダムアクセス応答を前記通信デバイスにおいて受信することは、
前記仮想キャリア帯域幅内の前記通信デバイスに割り当てられた通信リソースから前記ランダムアクセス応答を前記通信デバイスにおいて受信すること、を含み、
前記第２のタイプの前記通信デバイスは、前記第１のタイプの通信デバイスに比べて低減された機能を有する、
前記（１）に記載の方法。
（３）
前記ランダムアクセスメッセージを前記通信デバイスから前記無線通信ネットワークに送信することは、
前記ランダムアクセスメッセージを送信するための前記第２のタイプの前記通信デバイスのための前記無線アクセスインタフェースの前記通信リソースを前記モバイル通信ネットワークによって構成することと、
前記モバイル通信ネットワークによって構成された通信リソースにおいて前記通信デバイスから前記無線通信ネットワークに前記ランダムアクセスメッセージを送信することと、を含む、
前記（１）または（２）に記載の方法。
（４）
前記ランダムアクセスメッセージを送信するための前記第２のタイプの前記通信デバイスのための前記無線アクセスインタフェースの前記通信リソースを前記モバイル通信ネットワークによって構成することは、
前記第２のタイプの前記通信デバイスの機能に依存して前記ランダムアクセスメッセージを送信するために通信リソースを構成すること、を含む、
前記（３）に記載の方法。
（５）
前記ランダムアクセスメッセージを送信するための前記第２のタイプの前記通信デバイスのための前記無線アクセスインタフェースの前記通信リソースを前記モバイル通信ネットワークによって構成することは、
前記ランダムアクセスメッセージを送信するための前記第２のタイプの前記通信デバイスのための１以上のランダムアクセスチャネルを含むように前記無線アクセスインタフェースの前記通信リソースを構成すること、を含む、
前記（４）に記載の方法。
（６）
前記ランダムアクセスメッセージを送信するために前記低減された機能の通信デバイスに割り当てられた前記シーケンスの所定のセットの指示を前記モバイル通信ネットワークから前記通信デバイスに送信すること、を含む、
前記（１）に記載の方法。
（７）
非競合ベースのランダムアクセスメッセージを生成するためのシーケンスと競合ベースのランダムアクセスメッセージを生成するためのシーケンスとを含むシーケンスのセットから前記シーケンスの所定のセットを選択すること、を含み、
競合ベースのランダムアクセスのために前記低減された機能のデバイスに割り当てられた前記シーケンスの所定のセットは、非競合ベースのランダムアクセスメッセージを生成するための前記シーケンスから選択される、
前記（６）に記載の方法。
（８）
前記第２のタイプの通信デバイスと比べて前記第１のタイプの通信デバイスの前記異なる機能は、前記第１のタイプの前記通信デバイスと比べて前記第２のタイプの前記通信デバイスがデコードできる、信号が受信される通信チャネルの最大帯域幅を含む、
前記（１）から（７）のいずれかに記載の方法。
（９）
前記第２のタイプの通信デバイスと比べて前記第１のタイプの通信デバイスの前記異なる機能は、前記第２のタイプの前記通信デバイスと比べて前記第１のタイプの前記通信デバイスに使用可能なアンテナの最小の数を含む、
前記（１）から（７）のいずれかに記載の方法。
（１０）
前記第２のタイプの通信デバイスと比べて前記第１のタイプの通信デバイスの前記異なる機能は、前記第１のタイプの前記通信デバイスと比べて前記第２のタイプの前記通信デバイスによって処理する情報ビットの最大レートを含む、
前記（１）から（７）のいずれかに記載の方法。
（１１）
データをモバイル通信ネットワークに送信する、または前記モバイル通信ネットワークから受信する通信デバイスであって、前記通信デバイスは、
無線アクセスインタフェースを介してデータを表す信号を前記モバイル通信ネットワークのインフラ機器に送信するように構成された送信機ユニットを備え、前記無線アクセスインタフェースはシステム帯域幅内でおよび時分割単位で通信リソースを提供し、かつ前記システム帯域幅内で第１のタイプおよび第２のタイプの通信デバイスへの割り当てのための通信リソースを提供し、前記第１のタイプの前記通信デバイスは前記第２のタイプの通信デバイスと異なる機能を有し、さらに前記通信デバイスは、
前記無線アクセスインタフェースを介して前記インフラ機器から信号を受信するように構成された受信機と、
前記第２のタイプの前記通信デバイスに割り当てられたシーケンスの所定のセットからシーケンスを選択することによってランダムアクセスメッセージを生成し、
前記ランダムアクセスメッセージを前記通信デバイスから前記無線通信ネットワークに送信し、
前記ランダムアクセスメッセージに応答して、前記第２のタイプの前記通信デバイスの前記機能に応じて送信されたランダムアクセス応答を受信するように前記送信機と前記受信機とを組み合わせるように構成されたコントローラと、を備え、前記ランダムアクセスメッセージは、低減された機能のデバイスに割り当てられた前記所定のシーケンスの選択された１つからのものとして認識されることで、低減された機能のデバイスからのものとして認識される、通信デバイス。
（１２）
前記無線アクセスインタフェースは、仮想キャリア帯域幅の通信リソース内で信号を送信または受信するための、前記第２のタイプの通信デバイスに対する好適な割り当てのための前記システム帯域幅の前記通信リソースのセットを定義する前記仮想キャリアを含み、前記コントローラは、前記仮想キャリア帯域幅内の前記通信デバイスに割り当てられた通信リソースから前記ランダムアクセス応答を前記通信デバイスにおいて受信することによって、前記第２のタイプの前記通信デバイスの前記機能に応じてランダムアクセス応答を受信するように前記送信機と前記受信機を組み合わせるように構成され、
前記第２のタイプの前記通信デバイスは、前記第１のタイプの通信デバイスに比べて低減された機能を有する、
前記（１１）に記載の通信デバイス。
（１３）
前記コントローラは、前記ランダムアクセスメッセージを前記通信デバイスから前記無線通信ネットワークに送信するように前記送信機と前記受信機とを組み合わせるように構成され、
前記第２のタイプの前記通信デバイスによって前記ランダムアクセスメッセージを送信するための前記無線アクセスインタフェースの前記通信リソースは前記モバイル通信ネットワークによって構成される、
前記（１１）または（１２）に記載の通信デバイス。
（１４）
前記無線アクセスインタフェースの前記通信リソースは、前記第２のタイプの前記通信デバイスの機能に依存して前記ランダムアクセスメッセージを送信するために前記モバイル通信ネットワークによって構成される、
前記（１３）に記載の通信デバイス。
（１５）
前記ランダムアクセスメッセージを送信するために前記モバイル通信ネットワークによって構成される前記無線アクセスインタフェースの前記通信リソースは、前記ランダムアクセスメッセージを送信するための前記第２のタイプの前記通信デバイスのための１以上のランダムアクセスチャネルを提供することを含む、
前記（１４）に記載の通信デバイス。
（１６）
前記コントローラは、
前記ランダムアクセスメッセージを生成するために前記低減された機能の通信デバイスに割り当てられた前記シーケンスの所定のセットの指示を前記モバイル通信ネットワークから受信するように受信機と組み合わせて構成される、
前記（１１）に記載の通信デバイス。
（１７）
前記シーケンスの所定のセットは、非競合ベースのランダムアクセスメッセージを生成するためのシーケンスと競合ベースのランダムアクセスメッセージを生成するためのシーケンスとを含むシーケンスのセットから選択され、
競合ベースのランダムアクセスのために前記低減された機能のデバイスに割り当てられた前記シーケンスの所定のセットは、非競合ベースのランダムアクセスメッセージを生成するための前記シーケンスから選択される、
前記（１６）に記載の通信デバイス。
（１８）
前記第２のタイプの通信デバイスと比べて前記第１のタイプの通信デバイスの前記異なる機能は、前記第１のタイプの前記通信デバイスと比べて前記第２のタイプの前記通信デバイスがデコードできる、信号が受信される通信チャネルの最大帯域幅を含む、
前記（１１）から（１７）のいずれかに記載の通信デバイス。
（１９）
前記第２のタイプの通信デバイスと比べて前記第１のタイプの通信デバイスの前記異なる機能は、前記第２のタイプの前記通信デバイスと比べて前記第１のタイプの前記通信デバイスに使用可能なアンテナの最小の数を含む、
前記（１１）から（１７）のいずれかに記載の通信デバイス。
（２０）
前記第２のタイプの通信デバイスと比べて前記第１のタイプの通信デバイスの前記異なる機能は、前記第１のタイプの前記通信デバイスと比べて前記第２のタイプの前記通信デバイスによって処理する情報ビットの最大レートを含む、
前記（１）から（７）のいずれかに記載の通信デバイス。
（２１）
モバイル通信ネットワークの一部を形成するインフラ機器であって、前記インフラ機器は、
無線アクセスインタフェースを介して信号を通信デバイスに送信するように構成された送信機ユニットと、
前記無線アクセスインタフェースを介して前記通信デバイスから信号を受信するように構成された受信機と、
前記無線インタフェースを形成するために前記送信機と前記受信機を組み合わせるように構成されたコントローラと、を備え、前記無線アクセスインタフェースはシステム帯域幅内でおよび時分割単位で通信リソースを提供し、かつ前記システム帯域幅内で第１のタイプおよび第２のタイプの通信デバイスへの割り当てのための通信リソースを提供し、前記第１のタイプの前記通信デバイスは前記第２のタイプの通信デバイスと異なる機能を有し、前記コントローラは、
前記通信デバイスの１つから前記無線アクセスインタフェースを介してランダムアクセスメッセージを受信するように前記送信機と前記受信機を組み合わせるように構成され、前記通信デバイスは前記第２のタイプの通信デバイスであり、前記ランダムアクセスメッセージは前記第２のタイプの前記通信デバイスに割り当てられたシーケンスの所定のセットの１つからシーケンスを選択することによって前記第２のタイプの通信デバイスによって生成され、
さらに前記コントローラは、受信されたランダムアクセスメッセージから、前記ランダムアクセスメッセージを送信した前記通信デバイスは前記第２のタイプの通信デバイスであることを判定し、
前記ランダムアクセスメッセージに応答して、前記第２のタイプの前記通信デバイスの前記機能に応じてランダムアクセス応答を送信するように前記送信機と前記受信機とを組み合わせるように構成され、前記ランダムアクセスメッセージは、前記第２のタイプの通信デバイスに割り当てられた前記所定のシーケンスの選択された１つからのものとして認識されることで、低減された機能のデバイスからのものとして認識される、インフラ機器。
（２２）
前記無線アクセスインタフェースは、仮想キャリア帯域幅の通信リソース内で信号を送信または受信するための、前記第２のタイプの通信デバイスに対する好適な割り当てのための前記システム帯域幅の前記通信リソースのセットを定義する前記仮想キャリアを含み、前記第２のタイプの前記通信デバイスの機能に応じて送信された前記ランダムアクセス応答を前記通信デバイスにおいて受信し、前記コントローラは、
前記仮想キャリア帯域幅内の前記通信デバイスに割り当てられた通信リソースから前記ランダムアクセス応答を前記通信デバイスにおいて送信するように前記送信機と前記受信機を組み合わせるように構成され、前記第２のタイプの前記通信デバイスは、前記第１のタイプの通信デバイスに比べて低減された機能を有する、
前記（２１）に記載のインフラ機器。
（２３）
前記コントローラは、前記ランダムアクセスメッセージを送信するための前記第２のタイプの前記通信デバイスのための前記無線アクセスインタフェースの前記通信リソースを構成し、
前記モバイル通信ネットワークによって構成された通信リソースにおいて前記通信デバイスから前記無線通信ネットワークに前記ランダムアクセスメッセージを送信するように前記送信機と前記受信機とを組み合わせるように構成される、
前記（２１）または（２２）に記載のインフラ機器。
（２４）
前記コントローラは、前記ランダムアクセスメッセージを前記第２のタイプの前記通信デバイスの機能に依存して受信するために前記無線アクセスインタフェースの前記通信リソースを構成するように前記送信機と前記受信機とを組み合わせるように構成される、
前記（２３）に記載のインフラ機器。
（２５）
前記コントローラは、前記ランダムアクセスメッセージを送信するための前記第２のタイプの前記通信デバイスのための１以上のランダムアクセスチャネルを含むように前記無線アクセスインタフェースの前記通信リソースを構成するように前記送信機と前記受信機とを組み合わせるように構成される、
前記（２４）に記載のインフラ機器。
（２６）
前記コントローラは、
前記ランダムアクセスメッセージを生成するために前記低減された機能の通信デバイスに割り当てられた前記シーケンスの所定のセットの指示を前記モバイル通信ネットワークから前記通信デバイスに送信するように送信機と組み合わせて構成される、
前記（２１）に記載のインフラ機器。
（２７）
前記コントローラは、
非競合ベースのランダムアクセスメッセージを生成するためのシーケンスと競合ベースのランダムアクセスメッセージを生成するためのシーケンスとを含むシーケンスのセットから前記シーケンスの所定のセットを選択するように構成され、競合ベースのランダムアクセスのために前記低減された機能のデバイスに割り当てられた前記シーケンスの所定のセットは、非競合ベースのランダムアクセスメッセージを生成するための前記シーケンスから選択される、
前記（２６）に記載のインフラ機器。
（２８）
前記第２のタイプの通信デバイスと比べて前記第１のタイプの通信デバイスの前記異なる機能は、前記第１のタイプの前記通信デバイスと比べて前記第２のタイプの前記通信デバイスがデコードできる、信号が受信される通信チャネルの最大帯域幅を含む、
前記（２１）から（２７）のいずれかに記載のインフラ機器。
（２９）
前記第２のタイプの通信デバイスと比べて前記第１のタイプの通信デバイスの前記異なる機能は、前記第２のタイプの前記通信デバイスと比べて前記第１のタイプの前記通信デバイスに使用可能なアンテナの最小の数を含む、
前記（２１）から（２７）のいずれかに記載のインフラ機器。
（３０）
前記第２のタイプの通信デバイスと比べて前記第１のタイプの通信デバイスの前記異なる機能は、前記第１のタイプの前記通信デバイスと比べて前記第２のタイプの前記通信デバイスによって処理する情報ビットの最大レートを含む、
前記（２１）から（２７）のいずれかに記載のインフラ機器。
（３１）
前記（２１）から（３０）に記載のインフラ機器を含む、モバイル通信ネットワーク。
（３２）
前記（１１）から（２０）のいずれかに記載の通信デバイスおよび前記（２１）から（３０）のいずれかに記載のインフラ機器を含む、通信システム。
（３３）
プロセッサにロードされた場合、前記（１）から（１０）のいずれかに記載の方法を実行するコンピュータプログラムを記憶したコンピュータ読み取り可能な記憶媒体。
【００８５】
種々のさらなる態様および本発明の特徴は、添付の特許請求の範囲に定義される。ＬＴＥの例およびＬＴＥに関する用語は、１つの例としてのみ提供され、３ＧＰＰまたは非３ＧＰＰである他のアクセスネットワークのために使用されてもよいことが理解される。
【００８６】
（参考）
（１）  英国特許出願  ＧＢ  １１０１９７０．０
（２）  英国特許出願  ＧＢ  １１０１９８１．７
（３）  英国特許出願  ＧＢ  １１０１９６６．８
（４）  英国特許出願  ＧＢ  １１０１９８３．３
（５）  英国特許出願  ＧＢ  １１０１８５３．８
（６）  英国特許出願  ＧＢ  １１０１９８２．５
（７）  英国特許出願  ＧＢ  １１０１９８０．９
（８）  英国特許出願  ＧＢ  １１０１９７２．６
（９）  ３ＧＰＰ  ＴＳＧ−ＲＡＮ  ＷＧ２  ＃８４において提出された“Ａｎａｌｙｓｉｓ  ｏｆ  ＲＡＮ２  Ｉｍｐａｃｔｓ  ｏｆ  Ｌｏｗ  Ｃｏｓｔ  ＵＥ”  ＺＴＥ  （Ｒ２−１３３９０８）
（１０）  ３ＧＰＰ  ＴＳＧ−ＲＡＮ  ＷＧ２  ＃８４において提出された“Ｃａｐａｂｉｌｉｔｉｅｓ  ｏｆ  Ｌｏｗ  ＣｏｓｔｓｕｒａｓｓｈｕＣｏｍｐｌｅｘｉｔｙ  ＭＴＣ  ＵＥｓ”  Ｅｒｉｃｓｓｏｎ  （Ｒ２−１３４２９９）
（１１）  ３ＧＰＰ  ＴＳＧ−ＲＡＮ  ＷＧ２  ＃８４において提出された“Ｉｍｐａｃｔｓ  ｏｆ  Ｎａｒｒｏｗ  Ｂａｎｄｗｉｄｔｈ  Ｃｈａｒａｃｔｅｒｉｓｔｉｃ  ｏｆ  Ｌｏｗ  Ｃｏｓｔ  ＭＴＣ  ＵＥ”  ＬＧ  Ｅｌｅｃｔｒｏｎｉｃｓ  Ｉｎｃ．  （Ｒ２−１３４３７１）
【図１】
2016538781.tif 000005
【図２】
2016538781.tif 000006
【図３】
2016538781.tif 000007
【図４】
2016538781.tif 000008
【図５】
2016538781.tif 000009
【図６】
2016538781.tif 000010
【図７ａ】
2016538781.tif 000011
【図７ｂ】
2016538781.tif 000012
【図８】
2016538781.tif 000013
【図９ａ】
2016538781.tif 000014
【図９ｂ】
2016538781.tif 000015
【図１０】
2016538781.tif 000016
【図１１】
2016538781.tif 000017
【図１２】
2016538781.tif 000018
【図１３】
2016538781.tif 000019
【国際調査報告】
2016538781.tif 000020
2016538781.tif 000021
2016538781.tif 000022